(57)【特許請求の範囲】
【請求項１】
表示部に表示される１つ以上のコンポーネントを含むコンテンツを配信装置から取得する第１取得手段と、
上記１つ以上のコンポーネントの各々について、上記コンテンツの提供者が定めた推奨視距離に関する階級毎に一意なユニーク値であって該コンポーネントの推奨視距離が属する階級を示すユニーク値を配信装置から取得する第２取得手段と、
自装置が制御可能な複数台の表示装置またはその一部の表示装置に、上記第１取得手段が取得したコンテンツに含まれるコンポーネントを表示させる表示制御手段と、を備え、
上記表示制御手段は、上記１つ以上のコンポーネントの各々について、該コンポーネントのユニーク値の大きさに基づいて、該コンポーネントを表示すべき表示装置を上記複数台の表示装置の中から選択し、選択した表示装置に該コンポーネントを表示させる、ことを特徴とする表示制御装置。
【請求項２】
上記複数台の表示装置の各々から、該表示装置によってコンポーネントが表示される表示部とユーザとの間の距離の測定値を取得する第３取得手段を更に備え、
上記表示制御手段は、上記１つ以上のコンポーネントの各々について、該コンポーネントのユニーク値を参照して該ユニーク値が示す階級に最も近い階級に属する測定値の取得先となった表示装置を上記複数台の表示装置の中から選択するとともに、選択した表示装置に該コンポーネントを表示させる、ことを特徴とする請求項１に記載の表示制御装置。
【請求項３】
上記第３取得手段は、上記複数台の表示装置の各々から上記測定値を取得する処理を定期的または非定期的に実行するように構成されており、
上記表示制御手段は、上記第３取得手段が上記処理を実行するたびに、上記１つ以上のコンポーネントの各々について該コンポーネントを表示する表示装置を選択するように構成されている、ことを特徴とする請求項２に記載の表示制御装置。
【請求項４】
自装置によってコンポーネントが表示される表示部とユーザの顔との間の距離である顔距離を測定する顔距離測定手段をさらに備え、
上記表示制御手段は、上記１つ以上のコンポーネントにテキストコンポーネントが含まれる場合であって、且つ、該テキストコンポーネントを該表示部に表示する場合には、上記顔距離測定手段による顔距離の測定値が小さくなるにつれて、段階的に大きい文字サイズで該テキストコンポーネントに含まれるテキストを表示するように構成されている、ことを特徴とする、請求項２または３に記載の表示制御装置。
【請求項５】
上記表示制御手段は、上記１つ以上のコンポーネントにテキストコンポーネントが含まれる場合に、該テキストコンポーネントが表示される表示部からユーザまでの距離の測定値が大きいほど相対的に大きい文字サイズで該テキストコンポーネントに含まれるテキストを表示するように構成されている、ことを特徴とする、請求項２または３に記載の表示制御装置。
【請求項６】
上記表示制御手段は、上記１つ以上のコンポーネントに映像コンポーネントが含まれる場合に、該映像コンポーネントが表示される表示部の表示可能領域全体の中で該表示部からユーザまでの距離の測定値が大きいほど相対的に広い領域を占めるように、該映像コンポーネントを表示するように構成されている、ことを特徴とする、請求項２から５のいずれか１項に記載の表示制御装置。
【請求項７】
上記表示制御装置がアクセス可能な記憶部に上記複数台の表示装置の各々に関する上記推奨視距離を示す情報が記録されており、
上記表示制御手段は、上記１つ以上のコンポーネントの各々について、該コンポーネントのユニーク値の大きさと上記情報とに基づいて上記複数台の表示装置の中から上記推奨視距離が該コンポーネントの推奨視距離に最も近い表示装置を選択し、選択した表示装置に該コンポーネントを表示させる、ことを特徴とする請求項１から６のいずれか１項に記載の表示制御装置。
【請求項８】
上記複数台の表示装置は、携帯表示端末とその他の表示装置とから構成されており、
上記表示制御手段は、上記１つ以上のコンポーネントの各々について、該コンポーネントのユニーク値が第１の閾値未満である場合には該コンポーネントを上記携帯表示端末に表示させ、該ユニーク値が第１の閾値以上である場合には上記その他の表示装置に表示させるように構成されている、ことを特徴とする請求項１に記載の表示制御装置。
【請求項９】
上記複数台の表示装置は、プロジェクタ、テレビおよび携帯表示端末から構成されており、
上記表示制御手段は、上記１つ以上のコンポーネントの各々について、該コンポーネントのユニーク値が第１の閾値より大きい第２の閾値以上である場合には該コンポーネントをプロジェクタにより表示させ、該ユニーク値が第１の閾値以上第２の閾値未満である場合には該コンポーネントをテレビに表示させるように構成されている、ことを特徴とする請求項８に記載の表示制御装置。
【請求項１０】
上記１つ以上のコンポーネントの中には、上記コンテンツの閲覧者により上記配信装置にアップロードされたコンポーネントであって上記ユニーク値が上記第１の閾値未満であるコンポーネントが含まれている、ことを特徴とする請求項８または９に記載の表示制御装置。
【請求項１１】
上記表示制御装置を使用しているユーザを識別する識別手段をさらに備え、
上記表示制御装置がアクセス可能な記憶部に上記ユーザの視力を示す視力情報が含まれており、
上記表示制御手段は、上記１つ以上のコンポーネントに映像コンポーネントが含まれる場合に、該映像コンポーネントが表示される表示部の表示可能領域全体の中で上記視力情報によって示される視力が弱いほど相対的に広い領域を占めるように、該映像コンポーネントを表示するように構成されている、ことを特徴とする請求項１から１０のいずれか１項に記載の表示制御装置。
【請求項１２】
上記表示制御装置を使用しているユーザを識別する識別手段をさらに備え、
上記表示制御装置がアクセス可能な記憶部に上記ユーザの視力を示す視力情報が含まれており、
上記表示制御手段は、上記１つ以上のコンポーネントにテキストコンポーネントが含まれる場合に、上記視力情報によって示される視力が弱いほど相対的に大きい文字サイズで、該テキストコンポーネントに含まれるテキストを表示するように構成されている、ことを特徴とする請求項１から１０のいずれか１項に記載の表示制御装置。
【請求項１３】
上記コンテンツには音声コンポーネントが含まれており、
上記音声コンポーネントを出力可能な音声出力機能を備えた表示装置に音声コンポーネントを出力させる出力制御手段と、
上記表示制御装置を使用しているユーザを識別する識別手段と、をさらに備え、
上記出力制御手段は、上記ユーザの聴力レベルに基づいて、上記音声コンポーネントを出力する際の音声出力レベルを制御するように構成されている、ことを特徴とする請求項１から１０のいずれか１項に記載の表示制御装置。
【請求項１４】
上記第２取得手段は、上記１つ以上のコンポーネントの各々に関する上記ユニーク値が示されたメタデータを取得するように構成されている、ことを特徴とする請求項１から１３のいずれか１項に記載の表示制御装置。
【請求項１５】
請求項１から１４のいずれか１項に記載の表示制御装置を含んでいる表示システムであって、
上記複数台の表示装置を含んでおり、
上記複数台の表示装置のうちの１台として、または、上記複数台の表示装置とは別個の装置として上記表示制御装置を含んでいる、ことを特徴とする表示システム。
【請求項１６】
表示部に表示される１つ以上のコンポーネントを含むコンテンツを配信装置から取得する第１取得工程と、
上記１つ以上のコンポーネントの各々について、上記コンテンツの提供者が定めた推奨視距離に関する階級毎に一意なユニーク値であって該コンポーネントの推奨視距離が属する階級を示すユニーク値を配信装置から取得する第２取得工程と、
表示制御装置が制御可能な複数台の表示装置またはその一部の表示装置に、上記第１取得工程にて取得したコンテンツに含まれるコンポーネントを表示させる表示制御工程と、を含み、
上記表示制御工程にて、上記１つ以上のコンポーネントの各々について、該コンポーネントのユニーク値の大きさに基づいて、該コンポーネントを表示すべき表示装置を上記複数台の表示装置の中から選択し、選択した表示装置に該コンポーネントを表示させる、ことを特徴とする表示制御装置の表示制御方法。
【請求項１７】
請求項１から１４のいずれか１項に記載の表示制御装置としてコンピュータを動作させるプログラムであって、コンピュータを上記各手段として機能させるためのプログラム。
【請求項１８】
請求項１７に記載のプログラムが記録されているコンピュータ読み取り可能な記録媒体。
【発明の詳細な説明】
【技術分野】
【０００１】
本発明は、コンテンツを構成する各コンポーネントをテレビ等の表示装置に表示させる表示制御装置、表示制御方法および表示制御プログラムに関する。また、本発明は、そのような表示制御装置を含む表示システム、そのような表示制御プログラムが記録されている記録媒体、およびそのような表示制御装置が取り扱うメタデータに関する。
【背景技術】
【０００２】
従来、コンテンツは、放送により配信されていたが、通信技術の発達により今日では放送のみならず通信網を通じて配信されるようになっている。
【０００３】
これに伴い、特許文献１および特許文献２に例示されるように、通信網を通じて配信されたコンテンツを表示装置に表示させる様々な技術が提案されている。
【０００４】
また、配信された映像コンテンツを複数台の表示装置を連携して表示させるシステムも提案されている。例えば、特許文献３には、サーバと、左右に並べられる複数台の携帯電話端末とで構成されるシステムが開示されている。
【０００５】
特許文献３のシステムでは、サーバが、配信すべき映像全体を短冊状に分割することによって携帯電話端末の台数と同じ個数の分割映像を生成するとともに、より左側（より右側）に並べられる携帯電話端末に向けて、映像内のより左側（より右側）に位置する分割映像を配信する。そして、左右に並べられた各携帯電話端末は、配信された分割映像を表示する。これにより、ユーザは、１台の携帯電話端末で閲覧する場合よりも大きいサイズの映像を閲覧することができる。
【先行技術文献】
【特許文献】
【０００６】
【特許文献１】特許第４２１８６３７号明細書（２００６年７月１３日公開）
【特許文献２】特表２０１０−５３４９５８号公報（２０１０年１１月１１日公表）
【特許文献３】特開２００３−５９４７号公報（２００３年１月１０日公開）
【発明の概要】
【発明が解決しようとする課題】
【０００７】
ところで、映像には、プロジェクタ等を用いて大画面のスクリーンで見るほうが好ましい映像もあれば、手元にある携帯表示端末（スマートフォンやタブレット端末等）で見るほうが好ましい映像もある。
【０００８】
例えば、多視点カメラ撮影を用いて配信される野球中継の番組の場合、球場内の大勢の観客が被写体となった映像は大画面のスクリーンで見るほうが実際に球場にいるかのような臨場感を一層味わえると考えられる。また、料理番組の番組中に提供されるレシピ情報のような文字が主体となる映像は手元にある携帯表示端末で見るほうが文字を見易いという利点がある。
【０００９】
しかしながら、現状では、大画面で見るほうが好ましい映像を大画面のスクリーンに表示させ、手元にある携帯端末で見るほうが好ましい映像を携帯端末に表示させるようにコンテンツ提供者側で制御可能なマルチスクリーン型放送の技術は確立されていない。したがって、マルチスクリーン型の表示システムにおいて、最適な表示デバイスに映像を表示させることは容易ではない。
【００１０】
本発明は、上記課題に鑑みて成されたものであり、その主な目的は、コンテンツに含まれるコンポーネントを、複数台の表示装置のうちそのコンポーネントに応じた適切な表示装置に表示させることが可能な表示制御装置を実現することにある。
【課題を解決するための手段】
【００１１】
本発明に係る表示制御装置は、上記課題を解決するために、表示部に表示される１つ以上のコンポーネントを含むコンテンツを配信装置から取得する第１取得手段と、上記１つ以上のコンポーネントの各々について、上記コンテンツの提供者が定めた推奨視距離に関する階級毎に一意なユニーク値であって該コンポーネントの推奨視距離が属する階級を示すユニーク値を配信装置から取得する第２取得手段と、自装置が制御可能な複数台の表示装置またはその一部の表示装置に、上記第１取得手段が取得したコンテンツに含まれるコンポーネントを表示させる表示制御手段と、を備え、上記表示制御手段は、上記１つ以上のコンポーネントの各々について、該コンポーネントのユニーク値の大きさに基づいて、該コンポーネントを表示すべき表示装置を、上記複数台の表示装置の中から選択し、選択した表示装置に該コンポーネントを表示させるように構成されている、を特徴としている。ここで、配信者に上記コンテンツを提供する上記コンテンツの作成者も、表示制御装置のユーザに上記コンテンツを提供する上記コンテンツの配信者も、「上記コンテンツの提供者」に該当し得る。また、本発明の表示制御装置は、上記複数台の表示装置のうちの１台であってもよいし、上記複数台の表示装置とは別個の装置であってもよい。さらに、表示装置の推奨視距離は、例えば表示装置が液晶テレビの場合、一般には表示部（表示画面）の縦の長さの３倍とされているが、これに限定されるものではない。
【００１２】
上記の構成によれば、本発明に係る表示制御装置は、コンテンツに含まれるコンポーネントを、複数台の表示装置のうちそのコンポーネントに応じた適切な表示装置に表示させることができるという効果を奏する。
【００１３】
本発明に係る表示制御装置の表示制御方法は、上記課題を解決するために、表示部に表示される１つ以上のコンポーネントを含むコンテンツを配信装置から取得する第１取得工程と、上記１つ以上のコンポーネントの各々について、上記コンテンツの提供者が定めた推奨視距離に関する階級毎に一意なユニーク値であって該コンポーネントの推奨視距離が属する階級を示すユニーク値を配信装置から取得する第２取得工程と、自装置が制御可能な複数台の表示装置またはその一部の表示装置に、上記第１取得工程にて取得したコンテンツに含まれるコンポーネントを表示させる表示制御工程と、を含み、上記表示制御工程にて、上記１つ以上のコンポーネントの各々について、該コンポーネントのユニーク値の大きさに基づいて、該コンポーネントを表示すべき表示装置を、上記複数台の表示装置の中から選択し、選択した表示装置に該コンポーネントを表示させる、ことを特徴としている。
【００１４】
上記の構成によれば、本発明に係る表示制御方法は、本発明に係る表示制御装置と同様の作用効果を奏する。
【００１５】
本発明に係る表示制御装置は、上記複数台の表示装置の各々から、該表示装置によってコンポーネントが表示される表示部とユーザとの間の距離の測定値を取得する第３取得手段を更に備え、上記表示制御手段は、上記１つ以上のコンポーネントの各々について、該コンポーネントのユニーク値を参照して該ユニーク値が示す階級に最も近い階級に属する測定値の取得先となった表示装置を上記複数台の表示装置の中から選択するとともに、選択した表示装置に該コンポーネントを表示させる、ことが望ましい。
【００１６】
上記の構成によれば、本発明に係る表示制御装置は、コンテンツに含まれるコンポーネントをユーザが居る位置に応じた適切な表示装置に表示させることができるというさらなる効果を奏する。
【００１７】
本発明に係る表示制御装置は、上記第３取得手段が、上記複数台の表示装置の各々から上記測定値を取得する処理を定期的または非定期的に実行するように構成されており、
上記表示制御手段が、上記第３取得手段が上記処理を実行するたびに、上記１つ以上のコンポーネントの各々について該コンポーネントを表示する表示装置を選択するように構成されている、ことが望ましい。
【００１８】
上記の構成によれば、本発明に係る表示制御装置は、ユーザが移動を繰り返す場合であっても、移動毎に移動後の位置に応じた適切な表示装置にコンテンツに含まれるコンポーネントを表示させることができるというさらなる効果を奏する。
【００１９】
本発明に係る表示制御装置は、自装置によってコンポーネントが表示される表示部とユーザの顔との間の距離である顔距離を測定する顔距離測定手段をさらに備え、上記表示制御手段は、上記１つ以上のコンポーネントにテキストコンポーネントが含まれる場合であって、且つ、該テキストコンポーネントを該表示部に表示する場合には、上記顔距離測定手段による顔距離の測定値が小さくなるにつれて、段階的に大きい文字サイズで該テキストコンポーネントに含まれるテキストを表示するように構成されている、ことが望ましい。
【００２０】
上記の構成によれば、本発明に係る表示制御装置は、病床に臥しているユーザに、顔を前後させるだけでそのユーザにとって適切なサイズのテキストを閲覧させることができるというさらなる効果を奏する。
【００２１】
本発明に係る表示制御装置は、上記表示制御手段が、上記１つ以上のコンポーネントにテキストコンポーネントが含まれる場合に、該テキストコンポーネントが表示される表示部からユーザまでの距離の測定値が大きいほど相対的に大きい文字サイズで該テキストコンポーネントに含まれるテキストを表示するように構成されている、ことが望ましい。
【００２２】
上記の構成によれば、本発明に係る表示制御装置は、ユーザがどこに移動しても、表示部からユーザまでの距離に応じた適切なサイズでテキストを表示することができるというさらなる効果を奏する。
【００２３】
本発明に係る表示制御装置は、上記表示制御手段が、上記１つ以上のコンポーネントに映像コンポーネントが含まれる場合に、該映像コンポーネントが表示される表示部の表示可能領域全体の中で該表示部からユーザまでの距離の測定値が大きいほど相対的に広い領域を占めるように、該映像コンポーネントを表示するように構成されている、ことが望ましい。
【００２４】
上記の構成によれば、本発明に係る表示制御装置は、ユーザがどこに移動しても、表示部からユーザまでの距離に応じた適切なサイズの映像を表示部内に表示することができるというさらなる効果を奏する。
【００２５】
本発明に係る表示制御装置は、上記表示制御装置がアクセス可能な記憶部に上記複数台の表示装置の各々に関する上記推奨視距離を示す情報が記録されており、上記表示制御手段が、上記１つ以上のコンポーネントの各々について、該コンポーネントのユニーク値の大きさと上記情報とに基づいて上記複数台の表示装置の中から上記推奨視距離が該コンポーネントの推奨視距離に最も近い表示装置を選択し、選択した表示装置に該コンポーネントを表示させる、ことが望ましい。
【００２６】
上記の構成によれば、本発明に係る表示制御装置は、コンポーネントを表示する表示装置として、その推奨視距離が、コンテンツの提供者がそのコンポーネントについて定めた推奨視距離に相対的に近い表示装置を、複数台の表示装置の中から選択することができる。したがって、本発明に係る表示制御装置は、コンテンツに含まれるコンポーネントを、複数台の表示装置のうちそのコンポーネントに応じた適切な表示装置に表示させることができるという効果を奏する。
【００２７】
本発明に係る表示制御装置は、上記複数台の表示装置が、携帯表示端末とその他の表示装置とから構成されており、上記表示制御手段が、上記１つ以上のコンポーネントの各々について、該コンポーネントのユニーク値が第１の閾値未満である場合には該コンポーネントを上記携帯表示端末に表示させ、該ユニーク値が第１の閾値以上である場合には上記その他の表示装置に表示させるように構成されている、ことが望ましい。
【００２８】
本発明に係る表示制御装置は、上記複数台の表示装置が、プロジェクタ、テレビおよび携帯表示端末から構成されており、上記表示制御手段が、上記１つ以上のコンポーネントの各々について、該コンポーネントのユニーク値が第１の閾値より大きい第２の閾値以上である場合には該コンポーネントをプロジェクタにより表示させ、該ユニーク値が第１の閾値以上第２の閾値未満である場合には該コンポーネントをテレビに表示させるように構成されている、ことが望ましい。
【００２９】
本発明に係る表示制御装置では、上記１つ以上のコンポーネントの中に上記コンテンツの閲覧者により上記配信装置にアップロードされたコンポーネントであって上記ユニーク値が上記第１の閾値未満であるコンポーネントが含まれている、ことが望ましい。
【００３０】
本発明に係る表示制御装置は、上記表示制御装置を使用しているユーザを識別する識別手段をさらに備え、上記表示制御装置がアクセス可能な記憶部に上記ユーザの視力を示す視力情報が含まれており、上記表示制御手段は、上記１つ以上のコンポーネントに映像コンポーネントが含まれる場合に、該映像コンポーネントが表示される表示部の表示可能領域全体の中で上記視力情報によって示される視力が弱いほど相対的に広い領域を占めるように、該映像コンポーネントを表示するように構成されている、ことが望ましい。
【００３１】
上記の構成によれば、本発明に係る表示制御装置は、ユーザの視力に応じた適切なサイズの映像を表示部内に表示することができるというさらなる効果を奏する。
【００３２】
本発明に係る表示制御装置は、上記表示制御装置を使用しているユーザを識別する識別手段をさらに備え、上記表示制御装置がアクセス可能な記憶部に上記ユーザの視力を示す視力情報が含まれており、上記表示制御手段は、上記１つ以上のコンポーネントにテキストコンポーネントが含まれる場合に、上記視力情報によって示される視力が弱いほど相対的に大きい文字サイズで、該テキストコンポーネントに含まれるテキストを表示するように構成されている、ことが望ましい。
【００３３】
上記の構成によれば、本発明に係る表示制御装置は、ユーザの視力に応じた適切なサイズでテキストを表示することができるというさらなる効果を奏する。
【００３４】
本発明に係る表示制御装置では、上記コンテンツには音声コンポーネントが含まれており、上記音声コンポーネントを出力可能な音声出力機能を備えた表示装置に音声コンポーネントを出力させる出力制御手段と、上記表示制御装置を使用しているユーザを識別する識別手段と、をさらに備え、上記出力制御手段は、上記ユーザの聴力レベルに基づいて、上記音声コンポーネントを出力する際の音声出力レベルを制御するように構成されている、ことが望ましい。
【００３５】
上記の構成によれば、本発明に係る表示制御装置は、ユーザの聴力レベルに応じた適切な音声出力レベルで音声を出力することができるというさらなる効果を奏する。
【００３６】
本発明に係る表示制御装置は、上記第２取得手段が、上記１つ以上のコンポーネントの各々に関する上記ユニーク値が示されたメタデータを取得するように構成されている、ことが望ましい。
【００３７】
なお、本発明は、上記表示制御装置を含んでいる表示システムであって、上記複数台の表示装置を含んでおり、上記複数台の表示装置のうちの１台として、または、上記複数台の表示装置とは別個の装置として上記表示制御装置を含んでいる表示システムとしても実現することができる。
【００３８】
また、本発明に係る表示制御装置としてコンピュータを動作させるプログラムであって、コンピュータを上記表示制御装置の各手段として機能させることを特徴とするプログラム、および、そのようなプログラムを記録した、コンピュータが読み取り可能な記録媒体も本発明の範疇に含まれる。
【００３９】
さらに、コンテンツを表示装置に表示させるために本発明に係る表示制御装置が取り扱うメタデータも本発明の範疇に含まれる。具体的には、表示部に表示される１つ以上のコンポーネントの各々について、上記コンテンツの提供者が定める推奨視距離に関する階級毎に一意なユニーク値であって該コンポーネントの推奨視距離が属する階級を示すユニーク値が示されたメタデータも本発明の範疇に含まれる。
【発明の効果】
【００４０】
以上のように、本発明に係る表示制御装置は、コンテンツに含まれるコンポーネントを、複数台の表示装置のうちそのコンポーネントに応じた適切な表示装置に表示させることができるという効果を奏する。
【図面の簡単な説明】
【００４１】
【図１】図１は、本発明の一実施形態に係る配信装置および表示システムの要部構成を示した図である。
【図２】図２は、表示システムの利用イメージを概略的に示した図である。
【図３】図３の（ａ）は図１のテレビが受信するメタデータを例示した図であり、図３の（ｂ）は、階級毎にその階級に属する推奨視距離の最大値および最小値を示した図である。
【図４】図４は、図１のテレビに記録されているシステム構成情報の一部分を抜き出して模式的に例示した図である。
【図５】図５は、図１の表示システムの全体的な動作を示すフローチャート図である。
【図６】図６は、変形例に係る配信装置が、変形例に係るテレビに送信するメタデータを模式的に例示した図である。図６は、具体的には、図１の配信装置の変形例に係る配信装置が図１のテレビの変形例に係るテレビに送信するメタデータを例示する図であって、図１４の配信装置の変形例に係る配信装置が図１４のテレビの変形例に係るテレビに送信するメタデータを例示する図でもある。
【図７】図１のテレビの変形例に係るテレビが記憶しているシステム構成情報を模式的に例示した図である。
【図８】図１のテレビの変形例に係るテレビの動作を示すフローチャート図である。
【図９】図１のテレビの変形例に係るテレビが記憶しているシステム構成情報を模式的に例示した図である。
【図１０】図８の動作中にテレビが獲得する各種情報を表形式で例示した図である。
【図１１】図８の動作中にテレビが獲得する各種情報を表形式で例示した図である。
【図１２】図８の動作の結果としてテレビが決定したコンポーネントを提示する提示装置をコンポーネント毎に例示した図である。
【図１３】図８の動作の結果としてテレビが決定したコンポーネントを提示する提示装置をコンポーネント毎に例示した図である。
【図１４】図１４は、本発明の別の一実施形態に係る配信装置および表示システムの要部構成を示した図である。
【図１５】図１５は、図１４のテレビに記録されているユーザ情報の一部分を抜き出して模式的に例示した図である。
【図１６】図１６は、図１４のテレビに記録されているシステム構成情報の一部分を抜き出して模式的に例示した図である。
【図１７】図１７は、図１４の表示システムの利用イメージを概略的に示した図である。
【図１８】図１８は、図１４の表示システムの全体的な動作を示すフローチャート図である。
【図１９】図１４のテレビの変形例に係るテレビが記憶しているシステム構成情報を模式的に例示した図である。
【図２０】図１４のテレビの変形例に係るテレビの動作を示すフローチャート図である。
【図２１】図１４のテレビの変形例に係るテレビが記憶しているシステム構成情報を模式的に例示した図である。
【図２２】図２０の動作中にテレビが獲得する各種情報を表形式で例示した図である。
【図２３】図２０の動作中にテレビが獲得する各種情報を表形式で例示した図である。
【図２４】図２０の動作の結果としてテレビが決定したコンポーネントを提示する提示装置をコンポーネント毎に例示した図である。
【図２５】図２０の動作の結果としてテレビが決定したコンポーネントを提示する提示装置をコンポーネント毎に例示した図である。
【図２６】図２６は、７５ｍｍ、１５０ｍｍおよび３００ｍｍの各サイズの文字について、文字が記されている位置からの距離と文字を識別するのに必要な視力との関係を示した図である。
【図２７】図２７は、別の一実施形態に係るテレビに記録されているユーザ情報の一部分を抜き出して模式的に例示した図である。
【図２８】図２８は、低音域、中音域および高音域の各音域について、温度と湿度と音圧の減衰率との関係を示した図である。
【発明を実施するための形態】
【００４２】
〔実施形態１〕
本発明の一実施形態に係る表示システムについて図１〜図５を参照しながら以下に説明する。
【００４３】
本実施形態に係る表示システムは、マルチスクリーン型放送の技術を用いて配信装置から配信されたコンテンツを表示する表示システムである。
【００４４】
本実施形態で配信されるコンテンツには複数のコンポーネントが含まれている。具体的には、表示部に表示される主映像および２つの副映像の各コンポーネント（表示コンポーネント）と、音声出力部から出力される音声のコンポーネントとの４つのコンポーネントが含まれている。なお、上記４つのコンポーネントは本発明を実施する上での一例に過ぎない。例えば、コンテンツにはテキスト(字幕等)やデータ（ＢＭＬ、ウェブ情報等）といった他の種類の表示コンポーネントが含まれていてもよいし、コンテンツには、映像コンポーネントのみが含まれていてもよい。
【００４５】
また、本実施形態に係る表示システムには、受信装置、提示装置（表示装置）、および、他の提示装置を制御する提示制御装置の各装置の役割を兼ね備える普及型テレビが含まれている。さらに、本実施形態に係る表示システムには、提示装置（表示装置）としての役割を担うタブレット端末および超大画面ディスプレイが含まれている。なお、普及型テレビとしては４０型程度の画面サイズのテレビ（推奨視距離が約１．５ｍのテレビ）を想定しており、超大画面ディスプレイとしては１００型程度の画面サイズのディスプレイ（推奨視距離が約３．８ｍのディスプレイ）を想定している。また、本実施形態で用いる普及型テレビ、タブレット端末および超大画面ディスプレイは本発明を実施する上で用いるべき表示装置の一例に過ぎない。例えば、超大画面ディスプレイの代わりにプロジェクタを用いてもよい。
【００４６】
また、普及型テレビは、ＭＰＥＧにおいて標準化作業が進められている、ハイブリッド配信のためのトランスポート方式であるMPEG Media Transport（以下、ＭＭＴと表記する）に基づくコンテンツ再生をサポートしている。同様に、配信装置は、ＭＭＴに基づくコンテンツ配信をサポートしている。ＭＭＴにおいては、コンテンツが「パッケージ」として定義されており、コンポーネントが「アセット」として定義されている。以下では、必要に応じてＭＭＴの用語を用いて説明を行うが、本発明は、ＭＭＴの技術を前提として成された発明ではないことを予め述べておく。即ち、本発明が適用されるのはＭＭＴに限らず、様々な規格や運用技術に適用可能である。
【００４７】
まず、本実施形態に係る配信装置および表示システムの構成、並びに、表示システムの各装置の配置について図１および図２を参照しながら説明する。図１は本実施形態に係る表示システム１および配信装置２００の構成を示すブロック図であり、図２は、本実施形態に係る表示システム１の利用イメージを模式的に示した図である。
【００４８】
図１に示すように、表示システム１は、普及型テレビ１００、超大画面ディスプレイ１５０およびタブレット端末１６０を含んでおり、普及型テレビ１００が、配信装置２００によって放送波を媒介として送信されたコンテンツを受信するようになっている。また、図２に示すように、タブレット端末１６０は座席に座っているユーザの手元にあり、普及型テレビ１００は座席の１．５ｍ前方（テレビ１００の推奨視距離だけ前方）に配置され、超大画面ディスプレイ１５０は座席の３．８ｍ前方（ディスプレイ１５０の推奨視距離だけ前方）に配置されている。
【００４９】
（配信装置２００）
配信装置２００は、コンテンツ記憶部２０１、メタデータ記憶部２０２、およびコンテンツ送信部２０３を備えている。
【００５０】
コンテンツ記憶部２０１には、主映像、２つの副映像（第１副映像、第２副映像）、音声の各コンポーネントが記録されている。
【００５１】
メタデータ記憶部２０２には、コンテンツに関するメタデータが記録されている。このメタデータは、ＭＭＴにおける構成情報（Composition Information）である。このメタデータには、図３（ａ）に例示されているように、各コンポーネント（アセット）について、そのコンポーネントの推奨視距離に関する階級を示すレベル値（点線で囲まれた属性「view_dist_level」の属性値）が含まれている。図３の例では、音声コンポーネントのレベル値（特許請求の範囲の「ユニーク値」に対応）として「５」が含まれており、主映像コンポーネントのレベル値として「２」が含まれている。
【００５２】
なお、コンテンツに含まれる各コンポーネントの推奨視距離は、そのコンテンツの提供者によって前もって定められている。また、階級の個数、および、各階級の最大値および最小値は、予め規定されており、コンテンツの提供者はこの規定に基づいて、各コンテンツの推奨視距離をレベル値に置き換えてメタデータ内に記述しておくものとする。例えば、主映像の推奨視距離を「２ｍ」と定めたコンテンツの提供者は、図３（ａ）に示したように、主映像のレベル値として「２」を記述する。また、大画面で鑑賞したほうが好ましいと考えて第１副映像の推奨視距離を「３．５ｍ」と定めたコンテンツの提供者は、第１副映像のレベル値として「３」を記述する。
【００５３】
コンテンツ送信部２０３は、コンテンツをコンテンツ記憶部２０１から読み出すとともに、そのコンテンツに関するメタデータをメタデータ記憶部２０２から読み出して、コンテンツをメタデータとともに放送波に乗せて配信する。
【００５４】
（普及型テレビ１００）
普及型テレビ１００は、コンテンツ受信部１０１、コンポーネント分離部１０２、コンテンツ提示制御部１０３、情報入力部１０４、システム構成情報記憶部１０５、コンポーネント送信部１０６、表示部１０７および音声出力部１０８を含んでいる。
【００５５】
コンテンツ受信部１０１は、放送波に乗せて送信されたコンテンツおよびメタデータを受信するチューナである。
【００５６】
コンポーネント分離部１０２は、コンテンツ受信部１０１から供給されたコンテンツから各コンポーネントを分離する。
【００５７】
コンテンツ提示制御部１０３は、新たな提示装置がテレビ１００に登録されるたびに、１から５までの各ｉについて（以下、単に「各ｉについて」と略記する）、推奨視距離がレベル値ｉの階級に属するコンポーネントを、どの提示装置に表示させるべきかを決定する。具体的には、メーカー推奨視距離が属する階級がレベル値ｉの階級に最も近い提示装置を、レベル値ｉの階級に属するコンポーネントを表示すべき装置として決定する。そして、その提示装置に関するシステム構成情報の一部として、レベル値ｉをシステム構成情報記憶部１０５に記録する。なお、その提示装置に関するシステム構成情報の一部としてレベル値が記録済みの場合は、コンテンツ提示制御部１０３は、レベル値をｉに更新する。
【００５８】
また、コンテンツ提示制御部１０３は、コンテンツに含まれる各コンポーネントについて、そのコンポーネントを提示すべき装置を、そのコンテンツに関するメタデータと、システム構成情報記憶部１０５に記録されている各提示装置のシステム構成情報と、に基づいて決定する。具体的には、メタデータ内に記述されている各コンポーネントのレベル値を参照し、レベル値ｉが記述されているコンポーネントを、レベル値ｉをシステム構成情報の一部として含む提示装置に提示させることを決定する。
【００５９】
コンテンツ提示制御部１０３は、コンポーネントを提示すべき装置が普及型テレビ１００に登録された提示装置である場合には、コンポーネント送信部１０６を介して、そのコンポーネントを提示すべき装置に送信する。また、コンポーネントを提示すべき装置が普及型テレビ１００である場合には、そのコンポーネントが表示コンポーネントであるときはコンポーネントを表示部１０７に表示し、そのコンポーネントが音声コンポーネントであるときはコンポーネントを音声出力部１０８から出力する。その際、例えば、複数の映像コンポーネントが同じ１つの提示装置に割り当てられ、かつ、構成情報（CI）内等に画面レイアウトに関する情報が含まれる場合には、コンテンツ提示制御部１０３は、当該情報に基づいて、表示または音声出力を行う。
【００６０】
情報入力部１０４は、ユーザに情報を入力させるために設けられている入力デバイスである。ユーザは、情報入力部１０４を用いて、テレビ１００に登録する提示装置のシステム構成情報を入力できるようになっている。
【００６１】
システム構成情報記憶部１０５（特許請求の範囲の「記憶部」に対応）には、テレビ１００自身のシステム構成情報とテレビ１００に登録された他の提示装置のシステム構成情報とが記録されており、システム構成情報の一部として、メーカー推奨視距離（表示画面の縦サイズの約３倍）と、表示するコンポーネントのレベル値と、が記録されている。具体的には、図４に示すような、テレビ１００、ディスプレイ１５０およびタブレット端末１６０の３台の提示装置のシステム構成情報がシステム構成情報記憶部１０５に記録されている。
【００６２】
コンポーネント送信部１０６は、コンテンツ提示制御部１０３によって決定された提示装置に向けてコンポーネントを送信する通信インタフェースである。通信インタフェースは、無線ＬＡＮモジュールであってもよいし、Ｂｌｕｅｔｏｏｔｈ（登録商標）通信モジュールであってもよいし、その他、有線、無線に関わらず、通信規格に準拠した通信モジュールであってもよい。
【００６３】
表示部１０７は、表示コンポーネントが表示される４０インチの表示画面である。
【００６４】
音声出力部１０８は、音声コンポーネントが出力されるスピーカである。
【００６５】
（超大画面ディスプレイ１５０）
超大画面ディスプレイ１５０は、コンポーネント受信部１５１、コンポーネント提示制御部１５２、表示部１５３および音声出力部１５４を備えている。
【００６６】
コンポーネント受信部１５１は、テレビ１００から送信されてきたコンポーネントを受信する通信インタフェースである。
【００６７】
コンポーネント提示制御部１５２は、コンポーネント受信部１５１から供給されたコンポーネントが表示コンポーネントである場合にはそのコンポーネントを表示部１５３に表示し、コンポーネント受信部１５１から供給されたコンポーネントが音声コンポーネントである場合にはそのコンポーネントを音声出力部１５４から出力する。
【００６８】
表示部１５３は、表示コンポーネントが表示される１００インチの表示画面である。
【００６９】
音声出力部１５４は、音声コンポーネントが出力されるスピーカである。
【００７０】
（タブレット端末１６０）
タブレット端末１６０は、コンポーネント受信部１６１、コンポーネント提示制御部１６２、表示部１６３および音声出力部１６４を備えている。
【００７１】
コンポーネント受信部１６１は、テレビ１００から送信されてきたコンポーネントを受信する通信インタフェースである。
【００７２】
コンポーネント提示制御部１６２は、コンポーネント受信部１６１から供給されたコンポーネントが表示コンポーネントである場合にはそのコンポーネントを表示部１６３に表示し、コンポーネント受信部１６１から供給されたコンポーネントが音声コンポーネントである場合にはそのコンポーネントを音声出力部１６４から出力する。
【００７３】
表示部１６３は、表示コンポーネントが表示される小型の表示画面である。
【００７４】
音声出力部１６４は、音声コンポーネントが出力されるスピーカである。
【００７５】
以上、本実施形態に係る配信装置および表示システムの構成、並びに、表示システムの各装置の配置について説明した。
【００７６】
次に、本実施形態に係る表示システム１が、配信装置２００からコンテンツを受信して各コンポーネントを再生する動作について図５を参照しながら説明する。図５は、本実施形態に係る表示システム１の上記動作を示すフローチャート図である。
【００７７】
図５に示すように、テレビ１００のコンテンツ受信部１０１は、コンテンツとそのコンテンツに関するメタデータとを受信し、コンポーネント分離部１０２に供給する（Ｓ１）。
【００７８】
コンポーネント分離部１０２は、コンテンツ受信部１０１から供給されたコンテンツから各コンポーネントを分離し、各コンポーネントをメタデータとともにコンテンツ提示制御部１０３に供給する（Ｓ２）。
【００７９】
コンテンツ提示制御部１０３は、コンポーネント分離部１０２から供給されたメタデータを参照し、各コンポーネントの推奨視距離に関する階級（レベル値）を確認する（Ｓ３）。
【００８０】
Ｓ３の後、コンテンツ提示制御部１０３は、表示システム１に受信装置（テレビ１００）以外の提示装置が含まれているか否かを判定する。すなわち、コンテンツ提示制御部１０３は、テレビ１００に１台以上の提示装置が登録されているか否かを判定する（Ｓ４）。
【００８１】
テレビ１００にはディスプレイ１５０およびタブレット端末１６０が登録されているので、コンテンツ提示制御部１０３は、テレビ１００に１台以上の提示装置が登録されていると判定し（Ｓ４においてＹＥＳ）、Ｓ５に進む。なお、テレビ１００に1台も提示装置が登録されていないと判定した場合には（Ｓ４においてＮＯ）、コンテンツ提示制御部１０３は全てのコンポーネントをテレビ１００で提示することを決定し（Ｓ７）、Ｓ８に進むことになる。
【００８２】
Ｓ５において、コンテンツ提示制御部１０３は、システム構成情報記憶部に記録されている各提示装置のシステム構成情報に基づいて、各コンポーネントについてコンポーネントを提示すべき提示装置を各提示装置の中から選択する。具体的には、各コンポーネントについて、Ｓ３で確認した対象コンポーネントのレベル値と同じ値のレベル値がシステム構成情報の一部として記録されている提示装置を、対象コンポーネントを提示すべき提示装置として選択する。
【００８３】
例えば、コンテンツ受信部１０１がＳ１で図３（ａ）に示すメタデータを受信した場合、コンテンツ提示制御部１０３は、図４のシステム構成情報に基づいて、レベル値が２である主映像のコンポーネントを提示すべき装置として、表示するコンポーネントのレベル値として「２」が記録されているテレビ１００を選択する。同様に、コンテンツ提示制御部１０３は、音声コンポーネントおよび第１副映像のコンポーネントを提示すべき装置としてディスプレイ１５０を選択し、第２副映像のコンポーネントを提示すべき装置としてタブレット端末１６０を選択する。
【００８４】
Ｓ６において、コンテンツ提示制御部１０３は、Ｓ５で選択された登録済みの各提示装置に向けて、その提示装置が提示すべきコンポーネントを送信する。前述の例に則して言えば、コンテンツ提示制御部１０３は、音声コンポーネントおよび第１副映像のコンポーネントをディスプレイ１５０に送信し、第２副映像のコンポーネントをタブレット端末１６０に送信する。なお、コンテンツ提示制御部１０３は、コンテンツに含まれる各コンポーネントが表示システム１全体で同期をとりながら再生されるべきコンポーネントである場合には、同期制御のための情報をコンポーネントとともに各提示装置に送信してもよい。Ｓ６の処理の後、表示システム１は、Ｓ８の処理に進む。
【００８５】
Ｓ８において、Ｓ５で選択された各提示装置は、自装置が提示すべきコンポーネントを提示し、処理を終了する。前述の例に則して言えば、テレビ１００のコンテンツ提示制御部１０３が主映像のコンポーネントを表示部１０７に表示し、タブレット端末１６０のコンポーネント提示制御部１６２が第２副映像のコンポーネントを表示部１６３に表示することになる。同様に、ディスプレイ１５０のコンポーネント提示制御部１５２が、第１副映像のコンポーネントを表示部１５３に表示しながら音声コンポーネントを音声出力部１５４から出力することになる。なお、テレビ１００からコンポーネントとともに同期制御のための情報が送信された提示装置は、その情報に基づいてコンポーネントを提示するタイミングを制御する。
【００８６】
その結果、図２のイメージ図に示されているように、コンテンツ提供者が大画面で鑑賞すべきであると考える第１副映像が超大画面ディスプレイ１５０に表示され、コンテンツ提供者が手元の携帯表示端末を用いて見るべきであると考える第２副映像がタブレット端末１６０に表示されることになる。また、コンテンツ提供者が中程度のサイズの画面で鑑賞すべきであると考える主映像が普及型テレビ１００に表示されることになる。
【００８７】
なお、「コンテンツに主映像、第1副映像および第２副映像の３つの表示コンポーネントが含まれており、コンテンツのメタデータに各表示コンポーネントのレベル値が記述されているケース」を例に挙げて説明を行った。上記例では、３つの提示装置の各々で表示コンポーネントが表示されることになるが、１台または２台の提示装置でしか表示コンポーネントが表示されないケースもある。例えば、「コンテンツにＢＭＬの表示コンポーネントのみが含まれており、コンテンツのメタデータにその表示コンポーネントのレベル値として“１”が記述されているケース」では、ＢＭＬの表示コンポーネントがタブレット端末１６０で表示され、テレビ１００およびディスプレイ１５０では表示コンポーネントは表示されない。
【００８８】
（テレビ１００の利点）
以上のように、テレビ１００では、コンテンツ受信部１０１が表示部１０７に表示される１つ以上の表示コンポーネントを含むコンテンツを配信装置２００から受信する。
【００８９】
また、コンテンツ受信部１０１は、コンテンツとともに、上記１つ以上の表示コンポーネントの各々について、上記コンテンツの提供者が定めた推奨視距離に関する階級を示すレベル値であって該表示コンポーネントの推奨視距離が属する階級を示すレベル値が示されたメタデータを配信装置２００から受信する。
【００９０】
そして、テレビ１００のコンテンツ提示制御部１０３は、テレビ１００、ディスプレイ１５０およびタブレット端末１６０の３台の表示装置またはその一部の表示装置に、コンテンツ受信部１０１が受信したコンテンツに含まれるコンポーネントを表示させる。
【００９１】
具体的には、コンテンツ提示制御部１０３は、上記１つ以上の表示コンポーネントの各々について、該表示コンポーネントのレベル値の大きさに基づいて、メーカー推奨視距離が属する階級が該表示コンポーネントの推奨視距離が属する階級に最も近い表示装置を、３台の表示装置の中から選択し、選択した表示装置に該表示コンポーネントを表示させる。
【００９２】
上記の構成によって、テレビ１００は、コンポーネントを表示する表示装置として、そのメーカー推奨視距離が、コンテンツの提供者がそのコンポーネントについて定めた推奨視距離に相対的に近い表示装置を、普及型テレビ１００、超大画面ディスプレイ１５０およびタブレット端末１６０の中から選択することになる。例えば、手元にある画面サイズの小さい表示装置で見ることが好ましい表示コンポーネントはタブレット端末１６０に表示され、ユーザから離れた位置にある画面サイズの大きい表示装置で見ることが好ましい表示コンポーネントは超大画面ディスプレイ１５０に表示される。
【００９３】
したがって、テレビ１００は、コンテンツに含まれるコンポーネントを、普及型テレビ１００、超大画面ディスプレイ１５０およびタブレット端末１６０のうちそのコンポーネントに応じた適切な表示装置に表示させることができるという効果を奏する。
【００９４】
（実施形態１に係る配信装置２００および表示システム１の変形例）
配信装置２００および表示システム１の変形例について以下に説明する。なお、以下では、変形例に係る配信装置および表示システムについて、配信装置２００および表示システム１と相違する部分を中心に説明することにする。
【００９５】
まず、配信装置が備えるメタデータ記憶部に記録される、コンテンツに関するメタデータには、そのコンテンツを構成するコンポーネント毎に、対象コンポーネントのレベル値だけでなく対象コンポーネントの種別を示すメディアタイプが含まれている。例えばコンテンツが６つのコンポーネント（コンポーネントＡ〜Ｆ）で構成される場合、メタデータは、例えば、図６にテーブル形式で示したような情報を含むことになる。
【００９６】
また、変形例に係る普及型テレビ（図中では「提示装置Ａ」と表記）が備えるシステム構成情報記憶部に記録されるシステム構成情報には、普及型テレビに登録されている提示装置毎に、その提示装置の推奨視距離を示す情報だけでなく、その提示装置が提示可能なコンポーネントの種別（メディアタイプ）を示す情報が含まれている。例えば、システム構成情報記憶部には、図７に例示されるようなシステム構成情報が記録されることになる。
【００９７】
普及型テレビは、配信装置から送信されるメタデータおよび自機に記録されているシステム構成情報に基づいて、配信装置から送信されるコンテンツを構成する各コンポーネントについてコンポーネントを提示する提示装置を決定するが、そのアルゴリズムについて図８を参照して以下に詳細に説明する。図８は、普及型テレビが各コンポーネントについて、コンポーネントを提示する提示装置を決定する動作を示すフローチャート図である。なお、以下では、配信装置から送信されるメタデータが図６に示されるメタデータであるケースを適宜例に挙げながらアルゴリズムの説明を行うことにする。
【００９８】
最初に、普及型テレビのコンテンツ受信部は、コンテンツを受信した後に、そのコンテンツに関するメタデータ（具体的には、コンポーネント毎のレベル値およびメディアタイプ）を配信装置から受信し、コンポーネント分離部に供給する（Ｓ１１）。
【００９９】
Ｓ１１の後、コンポーネント分離部は、コンテンツ受信部から供給されたコンテンツから各コンポーネントを分離し、各コンポーネントについて、対象コンポーネントと対象コンポーネントのレベル値およびメディアタイプとをコンテンツ提示制御部に供給する（Ｓ１２）。
【０１００】
Ｓ１２の後、コンテンツ提示制御部は、システム構成情報を参照し、普及型テレビに登録されている各提示装置について、その提示装置が提示可能なコンポーネントの種別を示す情報と、その提示装置の推奨視距離を示す情報と、を取得する（Ｓ１３）。
【０１０１】
Ｓ１３の後、コンテンツ提示制御部は、Ｓ１３で取得した推奨視距離の最大値を、Ｓ１２で取得したレベル値の最大値で割り算する（Ｓ１４）。この割り算により得られた値を実施形態１の説明中では「単位レベル距離値」と称する。
【０１０２】
例えば、配信装置から受信するメタデータが図６のメタデータであって、普及型テレビに記録されているシステム構成情報が図７のシステム構成情報である場合には、推奨視距離の最大値である「３８００ｍｍ」をレベル値の最大値である「５」で割った「７６０ｍｍ」を単位レベル距離値として設定する。また、例えば、配信装置から受信するメタデータが図６のメタデータであって、システム構成情報が図９のシステム構成情報である場合にも同様である。
【０１０３】
Ｓ１４の後、コンテンツ提示制御部は、各コンポーネントについて、対象コンポーネントのレベル値に単位レベル距離値を乗算する（Ｓ１５）。コンテンツ提示制御部は、この乗算により得られた値をコンポーネント推奨視距離の最大値として設定する。上述した前者の例の場合には各コンポーネントのコンポーネント推奨視距離の最大値は図１０に示されるような値になり、後者の例の場合には各コンポーネントのコンポーネント推奨視距離の最大値は図１１に示されるような値になる。
【０１０４】
Ｓ１５の後、コンテンツ提示制御部は、Ｓ１２で取得した各情報に基づいて、各コンポーネントについて、以下のＳ１６並びにＳ１７若しくはＳ１８の処理を行う。
【０１０５】
すなわち、Ｓ１６において、コンテンツ提示制御部は、対象コンポーネントのメディアタイプが表す種別のコンポーネントを提示可能な提示装置であって、その推奨視距離が対象コンポーネントのコンポーネント推奨視距離の最大値以下である提示装置が普及型テレビに1台以上登録されているか否かを判定する。
【０１０６】
そのような提示装置（図８、図１０、図１１において「条件を満たす提示装置」と称する）が1台以上登録されていると判定された場合、コンテンツ提示制御部は、1台以上の提示装置の中から、推奨視距離が最大の提示装置を選択し、選択した提示装置を、対象コンポーネントを提示する装置に決定する（Ｓ１７）。
【０１０７】
一方、そのような提示装置が1台も登録されていないと判定された場合、コンテンツ提示制御部は、対象コンポーネントのメディアタイプが表す種別のコンポーネントを提示可能な全提示装置の中から、推奨視距離が最小の提示装置を選択し、選択した提示装置を、対象コンポーネントを提示する装置に決定する（Ｓ１８）。
【０１０８】
以上の処理の結果、各コンポーネントについて、コンポーネントを提示する提示装置が決定されることになるが、コンポーネントを提示する提示装置は、前述の前者の例では図１２に示したように決定され、後者の例では図１３に示したように決定されることになる。
すなわち、各コンポーネントは、メーカーによって規定された推奨視距離がそのコンポーネントの推奨視距離に近い提示装置において提示されることになる。
【０１０９】
また、本変形例では、コンテンツ提供者は、メタデータ内にレベル値を記載する際に、予め定められた規定に従ってレベル値を記載しなくともよい。すなわち、コンテンツ提供者は、ユーザに、推奨視距離が短い（すなわち、画面サイズが小さい（多くの場合、筐体も小さく、筐体に取り付けられているスピーカーも小出力タイプである））提示装置を通じて映像または音声を鑑賞させたい場合には相対的に小さいレベル値を記載し、推奨視距離が長い（すなわち、画面サイズが大きい（筐体が大きく、多くの場合、筐体に取り付けられているスピーカーは大出力タイプである））提示装置を通じて映像または音声を鑑賞させたい場合には相対的に大きいレベル値を記載すればよい。このような場合であっても、本変形例に係るテレビは、表示システムの構成に応じた最適な提示装置に各コンポーネントを提示させることができる。
【０１１０】
〔実施形態２〕
本発明の別の一実施形態に係る表示システムについて図１４〜図１８を参照しながら以下に説明する。
【０１１１】
本実施形態に係る表示システムも、実施形態１に係る表示システム１と同様に、マルチスクリーン型放送の技術を用いて配信装置から配信されたコンテンツを表示する表示システムである。また、本実施形態に係る表示システムも、受信装置、提示装置（表示装置）、および、他の提示装置を制御する提示制御装置（表示制御装置）の役割を兼ね備える普及型テレビ、提示装置としての役割を担うタブレット端末および超大画面ディスプレイが含まれている。
【０１１２】
一方、本実施形態に係る表示システムは、各提示装置の位置からユーザが居る位置までの距離を測定し、コンテンツに含まれる各表示コンポーネントについて、距離の測定値（以下、「ユーザ距離値」「実測距離値」等とも称する）が属する階級が表示コンポーネントの推奨視距離が属する階級に最も近い表示装置に、表示コンポーネントを表示させる点で、表示システム１とは異なっている。すなわち、本実施形態に係る表示システムは、表示システム１とは異なり、各提示装置のメーカー推奨視距離とは無関係に表示コンポーネントを表示する提示装置を決定する。
【０１１３】
さらに、本実施形態で配信されるコンテンツには、音声、主映像および２つの副映像の各コンポーネントに加え、コンテンツに関するユーザコンポーネントが含まれている。ここで、ユーザコンポーネントとは、過去にコンテンツを閲覧した閲覧者に関する情報を含むコンポーネントであり、閲覧者が配信装置にアップロードした閲覧者のコメントを含むテキストコンポーネントが一例に挙げられる。
【０１１４】
以下、本実施形態に係る配信装置および表示システムの構成、並びに、表示システムの各装置の配置について図１４を参照しながら説明する。図１４は本実施形態に係る表示システム１’および配信装置２００’の構成を示すブロック図である。
【０１１５】
図１４に示すように、表示システム１’は、普及型テレビ１００’、超大画面ディスプレイ１５０’およびタブレット端末１６０’を含んでおり、普及型テレビ１００’が、配信装置２００’によって放送波を媒介として送信されたコンテンツを受信するようになっている。また、表示システム１と同様にタブレット端末１６０’はユーザの手元にあり、普及型テレビ１００’および超大画面ディスプレイ１５０’の位置関係も表示システム１と同じである。
【０１１６】
（配信装置２００’）
配信装置２００’は、コンテンツ記憶部２０１、メタデータ記憶部２０２、コンテンツ送信部２０３およびユーザコンポーネント受信部２０４を備えている。
【０１１７】
コンテンツ記憶部２０１には、主映像、２つの副映像（第１副映像、第２副映像）、音声およびテキストの各コンポーネントを含むコンテンツが記録されている。ここでのテキストのコンポーネントは、ユーザコンポーネントの一例として挙げた閲覧者のコメントを含むコンポーネントである。
【０１１８】
メタデータ記憶部２０２には、コンテンツに関するメタデータが記録されている。このメタデータはassetタグの下に、さらに<asset xml:id=“text” view_dist_level=“1”>というテキストコンポーネントのレベル値を示すassetタグが記述されている点を除き、図３（ａ）のメタデータと同一である。
【０１１９】
コンテンツ送信部２０３は、コンテンツをコンテンツ記憶部２０１から読み出すとともに、そのコンテンツに関するメタデータをメタデータ記憶部２０２から読み出して、コンテンツをメタデータとともに放送波に乗せて配信する。
【０１２０】
ユーザコンポーネント受信部２０４は、ユーザコンポーネントである前述のテキストコンポーネントのユーザからのアップロードを受け付ける通信インタフェースである。
【０１２１】
（普及型テレビ１００’）
普及型テレビ１００’は、コンテンツ受信部１０１、コンポーネント分離部１０２、コンテンツ提示制御部１０３’、情報入力部１０４、システム構成情報記憶部１０５’、コンポーネント送信部１０６、表示部１０７、音声出力部１０８、ユーザ距離測定部１０９、ユーザ距離情報受信部１１０およびユーザ情報記憶部１１１を備えている。
【０１２２】
ユーザ距離測定部１０９は、撮像センサーを備え、顔画像検出技術を用いてユーザを認識し、認識したユーザとの間の距離を測定する。ユーザ距離測定部１０９は、距離の測定値（ユーザ距離値、実測距離値）を生成してコンテンツ提示制御部１０３’に供給する。なお、ユーザ距離測定部１０９は、表示部１０７のすぐ傍に設けられ、撮像センサーは表示部の前方方向に向けられている。
【０１２３】
ユーザ距離情報受信部１１０は、テレビ１００’に登録されている各提示装置からユーザ距離値を受信するための通信インタフェースである。
【０１２４】
ユーザ情報記憶部１１１（特許請求の範囲の「記憶部」に対応）には、テレビ１００’に登録されている各ユーザのユーザ情報が記録されている。具体的には、ユーザ情報記憶部１１１には、図１５に示すように各ユーザの顔画像および視力情報がユーザ情報の一部として記録されており、図示はしていないがその他のユーザの特性を示す情報（嗜好情報等）もユーザ情報の一部として記録されている。
【０１２５】
コンテンツ提示制御部１０３’は、ユーザ距離測定部１０９およびユーザ距離情報受信部１１０を通じて、各ユーザ距離値を取得し、各ｉについて、推奨視距離がレベル値ｉの階級に属するコンポーネントを、どの提示装置に表示させるべきかを決定する。
【０１２６】
具体的には、各ユーザ距離値のうち、ユーザ距離値が属する階級がレベル値ｉの階級に最も近いユーザ距離値を特定し、そのユーザ距離値を生成した提示装置を、レベル値ｉの階級に属するコンポーネントを表示すべき装置として決定する。なお、レベル値ｉの階級に最も近いユーザ距離値を生成して提示装置が２台以上存在する場合には、画面サイズの最も大きい提示装置を、レベル値ｉの階級に属するコンポーネントを表示すべき装置として決定する。そして、その提示装置に関するシステム構成情報の一部として、レベル値ｉをシステム構成情報記憶部１０５’に記録する。なお、その提示装置に関するシステム構成情報の一部としてレベル値が記録済みの場合は、コンテンツ提示制御部１０３’は、レベル値をｉに更新する。
【０１２７】
コンテンツ提示制御部１０３’は、コンテンツに含まれる各コンポーネントについて、そのコンポーネントを提示すべき装置を、そのコンテンツに関するメタデータと、システム構成情報記憶部１０５’に記録されている各提示装置のシステム構成情報と、に基づいて決定する。具体的には、メタデータ内に記述されている各コンポーネントのレベル値を参照し、レベル値ｉが記述されているコンポーネントを、レベル値ｉをシステム構成情報の一部として含む提示装置に提示させることを決定する。
【０１２８】
コンテンツ提示制御部１０３’は、コンポーネントを提示すべき装置が普及型テレビ１００’に登録された提示装置である場合には、コンポーネント送信部１０６を介して、そのコンポーネントを提示すべき装置に送信する。また、コンポーネントを提示すべき装置が普及型テレビ１００’である場合には、そのコンポーネントが表示コンポーネントであるときはコンポーネントを表示部１０７に表示し、そのコンポーネントが音声コンポーネントであるときはコンポーネントを音声出力部１０８から出力する。
【０１２９】
システム構成情報記憶部１０５’には、テレビ１００’自身のシステム構成情報とテレビ１００に登録された他の提示装置のシステム構成情報とが記録されており、システム構成情報の一部として、デフォルトのユーザ距離値と、直近で取得したユーザ距離値と、が記録されている。具体的には、テレビ１００’、ディスプレイ１５０’およびタブレット端末１６０’からなる３台の提示装置のシステム構成情報がシステム構成情報記憶部１０５’に記録されている。
【０１３０】
なお、コンテンツ受信部１０１、コンポーネント分離部１０２、情報入力部１０４、コンポーネント送信部１０６、表示部１０７および音声出力部１０８については、実施形態１で説明済みであるので、ここでは説明を省略する。
【０１３１】
（超大画面ディスプレイ１５０’）
超大画面ディスプレイ１５０’は、コンポーネント受信部１５１、コンポーネント提示制御部１５２、表示部１５３、音声出力部１５４、ユーザ距離測定部１５５およびユーザ距離情報送信部１５６を備えている。
【０１３２】
ユーザ距離測定部１５５は、撮像センサーを備え、顔画像検出技術を用いてユーザを認識し、認識したユーザとの間の距離を測定する。ユーザ距離測定部１５５は、距離の測定値（ユーザ距離値、実測距離値）を生成してユーザ距離情報送信部１５６に供給する。なお、ユーザ距離測定部１５５は、表示部１５３のすぐ傍に設けられ、撮像センサーは表示部の前方方向に向けられている。
【０１３３】
ユーザ距離情報送信部１５６は、ユーザ距離測定部１５５から供給されたユーザ測定値をテレビ１００’に送信するための通信インタフェースである。
【０１３４】
なお、コンポーネント受信部１５１、コンポーネント提示制御部１５２、表示部１５３および音声出力部１５４については、実施形態１で説明済みであるので、ここでは説明を省略する。
【０１３５】
（タブレット端末１６０’）
タブレット端末１６０’は、コンポーネント受信部１６１、コンポーネント提示制御部１６２、表示部１６３、音声出力部１６４、ユーザ距離測定部１６５、ユーザ距離情報送信部１６６、情報入力部１６７およびユーザコンポーネント送信部１６８を備えている。
【０１３６】
ユーザ距離測定部１６５は、撮像センサーを備え、顔画像検出技術を用いてユーザを認識し、認識したユーザとの間の距離を測定する。ユーザ距離測定部１６５は、距離の測定値（ユーザ距離値、実測距離値）を生成してユーザ距離情報送信部１６６に供給する。なお、ユーザ距離測定部１６５は、表示部１６３のすぐ傍に設けられ、撮像センサーは表示部の前方方向に向けられている。
【０１３７】
ユーザ距離情報送信部１６６は、ユーザ距離測定部１６５から供給されたユーザ測定値をテレビ１００’に送信するための通信インタフェースである。
【０１３８】
情報入力部１６７は、ユーザに情報を入力させるために設けられている入力デバイスである。ユーザは、情報入力部１６７を用いて、視聴中のコンテンツに関する自身のコメントを入力できるようになっている。
【０１３９】
ユーザコンポーネント送信部１６８は、情報入力部１６７を通じて入力されたユーザのコメントを含むテキストコンポーネントを、インターネット５００を介して配信装置２００’に送信するための通信インタフェースである。
【０１４０】
以上、本実施形態に係る配信装置および表示システムの構成、並びに、表示システムの各装置の配置について説明した。
【０１４１】
次に、本実施形態に係る表示システム１’が、配信装置２００’からコンテンツを受信して各コンポーネントを再生する動作について図１７および図１８を参照しながら説明する。図１７は表示システム１’の利用イメージを模式的に示した図であり、図１８は、表示システム１’の上記動作を示すフローチャート図である。
【０１４２】
図１８に示すように、テレビ１００’のコンテンツ受信部１０１は、コンテンツとそのコンテンツに関するメタデータとを受信し、コンポーネント分離部１０２に供給する（Ｓ２１）。
【０１４３】
コンポーネント分離部１０２は、コンテンツ受信部１０１から供給されたコンテンツから各コンポーネントを分離し、各コンポーネントをメタデータとともにコンテンツ提示制御部１０３’に供給する（Ｓ２２）。
【０１４４】
コンテンツ提示制御部１０３’は、コンポーネント分離部１０２から供給されたメタデータを参照し、各コンポーネントの推奨視距離に関する階級（レベル値）を確認する（Ｓ２３）。
【０１４５】
Ｓ２３の後、コンテンツ提示制御部１０３’は、システム構成情報記憶部１０５’から各提示装置のシステム構成情報を取得する（Ｓ２４）。Ｓ２５において、コンテンツ提示制御部１０３’は、各提示装置について、システム構成情報の一部であるユーザ距離値（デフォルト値）を参照し、以下に説明する処理を行うことでシステム構成情報を更新する。
【０１４６】
すなわち、コンテンツ提示制御部１０３’は、各ｉについて、参照した各ユーザ距離値のうち、その階級がレベル値ｉの階級に最も近いユーザ距離値を特定し、そのユーザ距離値を生成した提示装置を、レベル値ｉの階級に属するコンポーネントを表示すべき装置として決定する。さらに、レベル値ｉの階級に属するコンポーネントを表示すべきであると決定した提示装置に関するシステム構成情報の一部としてレベル値ｉを記録する。テレビ１００’、ディスプレイ１５０’およびタブレット端末１６０’の各ユーザ距離値（デフォルト値）として“１．５ｍ”、“３．８ｍ”、および“３０ｃｍ”の各値がシステム構成情報記憶部１０５’に記録されている状態でＳ２５の処理が成されると、システム構成情報は図１６（ａ）に示すように更新されることになる。
【０１４７】
Ｓ２５の後、コンテンツ提示制御部１０３’は、表示システム１’に受信装置（テレビ１００’）以外の提示装置が含まれているか否かを判定する。すなわち、コンテンツ提示制御部１０３’は、テレビ１００’に１台以上の提示装置が登録されているか否かを判定する（Ｓ２６）。
【０１４８】
テレビ１００’にはディスプレイ１５０’およびタブレット端末１６０’が登録されているので、コンテンツ提示制御部１０３’は、テレビ１００に１台以上の提示装置が登録されていると判定し（Ｓ２６においてＹＥＳ）、Ｓ２７に進む。なお、テレビ１００’に１台も提示装置が登録されていないと判定した場合には（Ｓ２６においてＮＯ）、コンテンツ提示制御部１０３’は全てのコンポーネントをテレビ１００’で提示することを決定し（Ｓ２８）、Ｓ２９に進むことになる。
【０１４９】
Ｓ２７において、コンテンツ提示制御部１０３’は、システム構成情報記憶部１０５’に記録されている各提示装置のシステム構成情報に基づいて、各コンポーネントについてコンポーネントを提示すべき提示装置を各提示装置の中から選択する。具体的には、コンテンツ提示制御部１０３’は、各ｉについて、メタデータ内に記述されている各コンポーネントのレベル値を参照し、レベル値ｉが記述されているコンポーネントを、レベル値ｉをシステム構成情報の一部として含む提示装置に提示させることを決定する。
【０１５０】
コンテンツ提示制御部１０３’は、Ｓ２７の処理を終えると、Ｓ２９の処理に進む。Ｓ２９において、コンテンツ提示制御部１０３’は、ユーザ距離測定部１０９および各提示装置に対して、ユーザ距離値を送信するよう要求し、各提示装置で生成されたユーザ距離値を取得する。そして、コンテンツ提示制御部１０３’は、各ｉについて、取得した各ユーザ距離値のうち、その階級がレベル値ｉの階級に最も近いユーザ距離値を特定し、そのユーザ距離値を生成した提示装置を、レベル値ｉの階級に属するコンポーネントを表示すべき装置として決定する。さらに、コンテンツ提示制御部１０３’は、各提示装置について、その提示装置で生成されたユーザ距離値とその提示装置で表示すべきコンポーネントのレベル値とを、その提示装置に関するシステム構成情報の一部として記録する。
【０１５１】
Ｓ２９の時点でユーザが座席から３ｍ後方に居るケースを例に挙げる。この場合、コンテンツ提示制御部１０３’は、ユーザ距離測定部１０９、ディスプレイ１５０’およびタブレット端末１６０’から、それぞれ、“４．５ｍ”、“６．８ｍ”、および“３０ｃｍ”というユーザ距離値を取得することになる。そして、レベル値１または２の階級に属するコンポーネントを表示すべき装置をタブレット端末１６０’に決定し、レベル値４または５の階級に属するコンポーネントを表示すべき装置をディスプレイ１５０’に決定し、レベル値３の階級に属するコンポーネントをテレビ１００’に決定する。その結果、図１６（ａ）のシステム構成情報は図１６（ｂ）に示すように更新されることになる。
【０１５２】
Ｓ２９での処理の結果に基づいて、コンテンツ提示制御部１０３’は、いずれかの１つ以上の階級についてその階級に属するコンポーネントを提示すべき提示装置が別の提示装置に切り替わったか否かを判定する（Ｓ３０）。
【０１５３】
コンテンツ提示制御部１０３’は、Ｓ３０において「切り替わった」と判定した場合（Ｓ３０においてＹＥＳ）、Ｓ２６の処理に戻る。一方、Ｓ３０において「切り替わっていない」と判定した場合（Ｓ３０においてＮＯ）、コンテンツ提示制御部１０３’は、Ｓ３１の処理に進む。
【０１５４】
Ｓ３１において、コンテンツ提示制御部１０３’は、Ｓ２７の処理と同様の方法で、システム構成情報記憶部１０５’に記録されている各提示装置のシステム構成情報に基づいて、各コンポーネントについてコンポーネントを提示すべき提示装置を各提示装置の中から選択する。そして、コンテンツ提示制御部１０３’は、コンポーネントを提示すべき提示装置がテレビ１００’以外である場合にはそのコンポーネントをその提示装置に送信する。
【０１５５】
Ｓ３２において、コンポーネントをテレビ１００’から受信した提示装置は、そのコンポーネントを再生する。また、テレビ１００’は、自装置で表示すべき表示コンポーネントがある場合にはその表示コンポーネントを表示部１０７に表示し、自装置から出力すべき音声コンポーネントがある場合にはその音声コンポーネントを音声出力部１０８から出力する。
【０１５６】
Ｓ３２の処理を終えてから一定期間経過後、コンテンツ提示制御部１０３’はコンテンツの再生が終了するか否かを判定する（Ｓ３３）。コンテンツ提示制御部１０３’は、コンテンツの再生がまだ終了しないと判定した場合には（Ｓ３３においてＮＯ）Ｓ２９の処理に戻り、コンテンツの再生が終了すると判定した場合には（Ｓ３３においてＹＥＳ）、処理を終了する。
【０１５７】
（テレビ１００’の利点）
以上のように、普及型テレビ１００’のコンテンツ提示制御部１０３’は、テレビ１００’自身、ディスプレイ１５０’およびタブレット端末１６０’の各表示装置から、表示装置によってコンポーネントが表示される表示部とユーザとの間の距離の測定値を取得する。
【０１５８】
コンテンツ提示制御部１０３’は、１つ以上の表示コンポーネントの各々について、該表示コンポーネントのレベル値を参照して該レベル値が示す階級に最も近い階級に属する測定値の取得先となった表示装置を上記３台の表示装置の中から選択するとともに、選択した表示装置に該コンポーネントを表示させる。
【０１５９】
上記の構成により、普及型テレビ１００’は、ユーザが普及型テレビ１００’から推奨視距離だけ離れた座席に居るときには主映像を表示部１０７に表示し、図１７のイメージ図に示されているようにユーザが座席の３ｍ後方（普及型テレビ１００’から遠く離れた位置）に居る場合には、ユーザの手元にあるタブレット端末１６０に第２副映像とともに主映像が表示されるよう、タブレット端末１６０を制御する。
【０１６０】
したがって、普及型テレビ１００’は、ユーザに、ユーザが居る場所に応じた最適な表示装置を通じて主映像を見せることができる。
【０１６１】
また、普及型テレビ１００’は、ユーザが普及型テレビ１００’から推奨視距離だけ離れた座席に居るときにはテキストコンポーネントがタブレット端末１６０’に表示されるようタブレット端末１６０’を制御し、ユーザが普及型テレビ１００’の傍に居るときにはテキストコンポーネントがテレビ１００’に表示される。したがって、視力が弱くてタブレット端末１６０’に表示される文字を読むのに苦労するユーザは、テレビ１００’に近づくだけで容易に文字を読むことができる。
【０１６２】
（ユーザコンポーネントについて）
コンテンツ記憶部２０１に、主映像、２つの副映像（第１副映像、第２副映像）、音声およびテキストの各コンポーネントを含むコンテンツが記録されており、テキストコンポーネントのみがユーザコンポーネントである例を挙げて本実施形態の説明を行ったが、本発明がこれに限定されないことは言うまでもない。
【０１６３】
すなわち、コンテンツには、ユーザコンポーネントとして、ユーザのコメントを表すテキストコンポーネントとともに、または、そのようなテキストコンポーネントに代えて、ユーザのコメントを表す音声のコンポーネントや、ユーザの顔等が被写体として写っている映像のコンポーネント等が含まれていてもよい。この場合、ユーザコンポーネント送信部１６８は、マイク（図示せず）を通じて生成したそのような音声のコンポーネントや、カメラ（図示せず）を通じて生成したそのような映像のコンポーネント等のユーザコンポーネントを、インターネット５００を介して配信装置２００’に送信することになる。
【０１６４】
（ユーザ距離測定部１０９、１５５、１６５について）
各ユーザ距離測定部は、ユーザとの間の距離を測定できるものであれば、どのような測定技術を用いるものであってもかまわない。例えば、ユーザ距離測定部は、レーダと赤外線とを用いて、グリッド照射、歪み計測および立体空間認識（ジェスチャ認識）を行うことで、ユーザとの間の距離（例えば、ユーザの顔との間の距離である顔距離）を測定する距離センサであってもよい。あるいは、ユーザ距離測定部は、２眼立体カメラで撮影した左目用画像内の顔画像部分と右目用画像内の顔画像部分との間のズレ量から、ユーザとの間の距離を測定するものであってもよい。
【０１６５】
あるいは、ユーザ距離測定部は、ＵＷＢを用いた赤外線測距離によりユーザとの間の距離を測定するものであってもよい。具体的には、短いパルス幅（例えば１ｎｓ以下）のパルス信号を比較的長い時間継続してユーザに向けて発信し、各パルス信号の発信から反射による受信までの時間を計測することで、ユーザとの間の距離を測定してもよい。
【０１６６】
あるいは、ユーザ距離測定部は、赤外線発光デバイスと赤外線検知アレイとで構成されている光位置センサを含んでいてもよい。この場合、光位置センサは、ユーザを追従するように位置および向きを自動的に制御可能に構成されていることが望ましい。
【０１６７】
（実施形態２に係る配信装置２００’および表示システム１’の変形例）
配信装置２００’および表示システム１’の変形例について以下に説明する。なお、以下では、変形例に係る配信装置および表示システムについて、配信装置２００’および表示システム１’と相違する部分を中心に説明することにする。
【０１６８】
実施形態１に係る配信装置２００および表示システム１の変形例と同様に、配信装置が備えるメタデータ記憶部に記録される、コンテンツに関するメタデータには、図６に示すように、そのコンテンツを構成するコンポーネント毎に、対象コンポーネントのレベル値だけでなく対象コンポーネントの種別を示すメディアタイプが含まれている。
【０１６９】
また、変形例に係る普及型テレビ（図中では「提示装置Ａ」と表記）が備えるシステム構成情報記憶部に記録されるシステム構成情報には、普及型テレビに登録されている提示装置毎に、その提示装置の推奨視距離および実測視距離に関する情報だけでなく、その提示装置が提示可能なコンポーネントの種別（メディアタイプ）を示す情報が含まれている。例えば、システム構成情報記憶部には、図１９に例示されるようなシステム構成情報が記録されることになる。
【０１７０】
普及型テレビは、配信装置から送信されるメタデータおよび自機に記録されているシステム構成情報に基づいて、配信装置から送信されるコンテンツを構成する各コンポーネントについてコンポーネントを提示する提示装置を決定するが、そのアルゴリズムについて図２０を参照して以下に詳細に説明する。図２０は、普及型テレビが各コンポーネントについて、コンポーネントを提示する提示装置を決定する動作を示すフローチャート図である。なお、以下では、配信装置から送信されるメタデータが図６に示されるメタデータであるケースを適宜例に挙げながらアルゴリズムの説明を行うことにする。
【０１７１】
最初に、普及型テレビのコンテンツ受信部は、コンテンツを受信した後に、そのコンテンツに関するメタデータ（具体的には、コンポーネント毎のレベル値およびメディアタイプ）を配信装置から受信し、コンポーネント分離部に供給する（Ｓ４１）。
【０１７２】
Ｓ４１の後、コンポーネント分離部は、コンテンツ受信部から供給されたコンテンツから各コンポーネントを分離し、各コンポーネントについて、対象コンポーネントと対象コンポーネントのレベル値およびメディアタイプとをコンテンツ提示制御部に供給する（Ｓ
４２）。
【０１７３】
Ｓ４２の後、コンテンツ提示制御部は、システム構成情報を参照し、普及型テレビに登録されている各提示装置について、その提示装置が提示可能なコンポーネントの種別を示す情報と、その提示装置の推奨視距離を示す情報と、その提示装置の実測視距離を示す情報と、を取得する（Ｓ４３）。
【０１７４】
Ｓ４３の後、コンテンツ提示制御部は、Ｓ４３で取得した実測視距離の最大値を、Ｓ１２で取得したレベル値の最大値で割り算する（Ｓ４４）。この割り算により得られた値を実施形態２の説明中では、「単位レベル距離値」と称する。
【０１７５】
例えば、配信装置から受信するメタデータが図６のメタデータであって、普及型テレビに記録されているシステム構成情報が図１９のシステム構成情報である場合には、実測視距離の最大値である「６８００ｍｍ」をレベル値の最大値である「５」で割った「１３６０ｍｍ」を単位レベル距離値として設定する。また、例えば、配信装置から受信するメタデータが図６のメタデータであって、システム構成情報が図２１のシステム構成情報である場合には、実測視距離の最大値である「２８００ｍｍ」をレベル値の最大値である「５」で割った「５６０ｍｍ」を単位レベル距離値として設定する。
【０１７６】
Ｓ４４の後、コンテンツ提示制御部は、各コンポーネントについて、対象コンポーネントのレベル値に単位レベル距離値を乗算する（Ｓ４５）。コンテンツ提示制御部は、この乗算により得られた値をコンポーネント推奨視距離の最大値として設定する。上述した前者の例の場合には各コンポーネントのコンポーネント推奨視距離の最大値は図２２に示されるような値になり、後者の例の場合には各コンポーネントのコンポーネント推奨視距離の最大値は図２３に示されるような値になる。
【０１７７】
Ｓ４５の後、コンテンツ提示制御部は、Ｓ４２で取得した各情報に基づいて、各コンポーネントについて、以下のＳ４６並びにＳ４７若しくはＳ４８の処理を行う。
【０１７８】
すなわち、Ｓ４６において、コンテンツ提示制御部は、対象コンポーネントのメディアタイプが表す種別のコンポーネントを提示可能な提示装置であって、その実測視距離が対象コンポーネントのコンポーネント推奨視距離の最大値以下である提示装置が普及型テレビに1台以上登録されているか否かを判定する。
【０１７９】
そのような提示装置（図２０、図２２、図２３において「条件を満たす提示装置」と称する）が1台以上登録されていると判定された場合、コンテンツ提示制御部は、1台以上の提示装置の中から、実測視距離が最大の提示装置を選択し、選択した提示装置を、対象コンポーネントを提示する装置に決定する（Ｓ４７）。
【０１８０】
一方、そのような提示装置が1台も登録されていないと判定された場合、コンテンツ提示制御部は、対象コンポーネントのメディアタイプが表す種別のコンポーネントを提示可能な全提示装置の中から、実測視距離が最小の提示装置を選択し、選択した提示装置を、対象コンポーネントを提示する装置に決定する（Ｓ４８）。
【０１８１】
以上の処理の結果、各コンポーネントについて、コンポーネントを提示する提示装置が決定されることになるが、コンポーネントを提示する提示装置は、前述の前者の例では図２４に示したように決定され、後者の例では図２５に示したように決定されることになる。すなわち、各コンポーネントは、そのコンポーネントの推奨視距離に近い距離だけユーザから離れた位置にある提示装置において提示されることになる。
【０１８２】
また、本変形例では、コンテンツ提供者は、メタデータ内にレベル値を記載する際に、予め定められた規定に従ってレベル値を記載しなくともよい。すなわち、コンテンツ提供者は、ユーザに、そのユーザの近くにある提示装置を通じて映像または音声を鑑賞させたい場合には相対的に小さいレベル値を記載し、そのユーザから遠く離れた位置にある提示装置を通じて映像または音声を鑑賞させたい場合には相対的に大きいレベル値を記載すればよい。このような場合であっても、本変形例に係るテレビは、表示システムの構成とユーザが居る位置とに応じた最適な提示装置に各コンポーネントを提示させることができる。
【０１８３】
（付記事項１）
テレビ１００’では、コンテンツ提示制御部１０３’が、ユーザ情報記憶部１１１にアクセスし、ユーザ距離測定部１０９で検出した顔画像の特徴量に基づいて、その顔画像を含むユーザ情報を検索するように構成されていてもよい。そして、コンテンツ提示制御部１０３’は、検索の結果そのようなユーザ情報がヒットした場合にユーザ情報内に含まれる視力情報を参照し、視力情報が表す視力の強さに応じた表示コンポーネントの表示制御を行うように構成されていてもよい。
【０１８４】
具体的には、コンテンツ提示制御部１０３’は、表示画面(特許請求の範囲の「表示可能領域」に対応)中の映像コンポーネントが表示される表示領域のサイズを視力の強さに応じて変えてもよい。すなわち、コンテンツ提示制御部１０３’は、視力が所定の基準よりも強い場合には表示領域のサイズをデフォルトよりも縮小し、視力が所定の基準よりも弱い場合には表示領域のサイズをデフォルトよりも拡大してもよい。例えば、コンテンツ提示制御部１０３’（特許請求の範囲の「識別手段」に対応）は、ユーザＡの顔画像を含むユーザ情報がヒットした場合（すなわち、テレビ１００’を使用しているユーザが１．５の視力を有するユーザＡであると識別した場合）には表示領域のサイズをデフォルトよりも縮小してもよい。あるいは、ユーザＣの顔画像を含むユーザ情報がヒットした場合（すなわち、テレビ１００’を使用しているユーザが０．１の視力を有するユーザＣであると識別した場合）には表示領域をデフォルトよりも拡大してもよい。
【０１８５】
あるいは、コンテンツ提示制御部１０３’は、テキストコンポーネントを表示する場合に表示するテキストの文字サイズを視力の強さに応じて変えてもよい。すなわち、コンテンツ提示制御部１０３’は、視力が所定の基準よりも強い場合にはテキストをデフォルトより小さいサイズで表示し、視力が所定の基準よりも弱い場合にはテキストをデフォルトより大きいサイズで表示してもよい。
【０１８６】
上記の構成によって、視力の弱い人であっても、表示コンポーネントを苦労することなく閲覧することができる。したがって、テレビ１００’は、視力の弱い人が表示コンポーネントを閲覧することを容易にするという効果を奏する。
【０１８７】
なお、各ユーザの視力情報は、情報入力部１０４を通じて入力されたものであってもよいが、テレビ１００’は、ユーザの視力を測定する測定手段を備えていてよく、測定手段が測定した視力を表す視力情報をユーザ情報記憶部１１１に記録してもよい。この場合、テレビ１００’は、各ユーザの視力情報を定期的に更新するように構成されていてもよい。すなわち、測定手段は、ユーザの視力を最後に測定した時点から一定期間以上が経過した場合に、そのユーザの視力を再度測定し、ユーザ情報記憶部１１１に記録されているそのユーザの視力情報を得られた視力情報で更新してもよい。
【０１８８】
（付記事項２）
テレビ１００’では、コンテンツ提示制御部１０３’は、ユーザ距離測定部１０９が測定したユーザとの間の距離の大きさに応じて、表示画面中の映像コンポーネントが表示される表示領域のサイズを変えてもよい。すなわち、コンテンツ提示制御部１０３’は、ユーザ距離測定部１０９が測定するユーザとの間の距離が長くなるにつれて段階的に表示領域のサイズを拡大し、ユーザ距離測定部１０９が測定するユーザとの間の距離が短くなるにつれて段階的に表示領域のサイズを縮小してもよい。
【０１８９】
あるいは、コンテンツ提示制御部１０３’は、テキストコンポーネントを表示する場合に表示するテキストの文字サイズを、ユーザ距離測定部１０９が測定したユーザとの間の距離の大きさに応じて変えてもよい。すなわち、コンテンツ提示制御部１０３’は、ユーザ距離測定部１０９が測定するユーザとの間の距離が長くなるにつれてテキストの表示サイズを段階的に大きくし、ユーザ距離測定部１０９が測定するユーザとの間の距離が短くなるにつれてテキストの表示サイズを段階的に小さくしてもよい。
【０１９０】
（付記事項３）
ユーザ距離測定部１０９として、ユーザの顔までの距離である顔距離を測定する測距装置を採用する場合に以下のようにテレビ１００’を構成してもよい。
【０１９１】
すなわち、テレビ１００’では、コンテンツ提示制御部１０３’は、ユーザ距離測定部１０９が測定する顔距離が長くなるにつれて段階的に表示領域のサイズを縮小し、ユーザ距離測定部１０９が測定する顔距離が短くなるにつれて段階的に表示領域のサイズを拡大してもよい。
【０１９２】
あるいは、コンテンツ提示制御部１０３’は、テキストコンポーネントを表示する場合に表示するテキストの文字サイズを、ユーザ距離測定部１０９が測定する顔距離が長くなるにつれてテキストの表示サイズ（文字サイズ）を段階的に小さくし、ユーザ距離測定部１０９が測定する顔距離が短くなるにつれてテキストの表示サイズ（文字サイズ）を段階的に大きくしてもよい。
【０１９３】
上記の構成によって、病床の視聴者や障害を持った視聴者は、その場に居たまま顔を前後させるだけで、閲覧が容易になるように表示コンポーネントの表示を調整することができる。したがって、テレビ１００’は、病床の視聴者や障害を持った人が表示コンポーネントを閲覧することを容易にするという効果を奏する。
【０１９４】
（付記事項４）
コンテンツ提示制御部１０３’は、ユーザ距離測定部１０９が測定したユーザとの間の距離の大きさと、ユーザの視力の強さとの両方の情報に基づいて、テキストコンポーネントを表示する場合に表示するテキストの文字サイズを調整してもよい。
【０１９５】
具体的には、図２６に示されているような、文字が記されている位置からの距離と文字を識別するのに必要な視力との関係を示したデータを記憶部（図示せず）に記録しておき、このデータを用いてテキストの表示サイズを調整してもよい。
【０１９６】
例えば、視力が１．５であるユーザＡがテレビ１００’から１．５ｍ離れた座席に居る場合、コンテンツ提示制御部１０３’は、表示部１０７に表示するテキストの表示サイズを以下のように算出してもよい。すなわち、ユーザＡは、７．５ｍ離れた距離から７５ｍｍ以上の文字を判読できることに基づき、表示部１０７に表示するテキストの表示サイズの最小値を約４．４ポイント（＝７５ｍｍ×１５００ｍｍ÷７５００ｍｍ×２５．４÷７２）に設定してもよい。同様に、コンテンツ提示制御部１０３’は、視力が０．７であるユーザＢがテレビ１００’から上記座席に居る場合にはテキストの表示サイズの最小値を約８．８ポイントに設定し、視力が０．１であるユーザＣがテレビ１００’から上記座席に居る場合にはテキストの表示サイズの最小値を約５３ポイントにしてもよい。
【０１９７】
（付記事項５）
ユーザ情報記憶部１１１には、視力情報として、裸眼視力の視力値と矯正視力の視力値とが記録されていてもよい。すなわち、図２７に示すように、眼鏡で視力を矯正しているユーザ（ユーザＣ）については裸眼視力の視力値と矯正視力の視力値とが記録され、視力を矯正しないユーザ（ユーザＡおよびユーザＢ）については裸眼視力の視力値のみが記録されていてもよい。
【０１９８】
コンテンツ提示制御部１０３’は、ユーザ情報記憶部１１１にアクセスし、ユーザ距離測定部１０９で検出した顔画像に基づいて、ユーザを特定するとともに、ユーザが眼鏡をかけているか否かを判定してもよい。そして、コンテンツ提示制御部１０３’は、特定したユーザが眼鏡をかけていると判定し、且つ、そのユーザのユーザ情報として矯正視力の視力値が記録されている場合には、矯正視力の視力値に基づいて、表示コンポーネントの表示を制御してもよい。
【０１９９】
（付記事項６）
テレビ１００’では、コンテンツ提示制御部１０３’は、ユーザ距離測定部１０９が測定したユーザとの間の距離の大きさに応じて、音声出力部１０８から出力する音声コンポーネントの音声出力レベルを変えてもよい。すなわち、コンテンツ提示制御部１０３’は、ユーザ距離測定部１０９が測定するユーザとの間の距離が長くなるにつれて段階的に音声出力レベルを大きくし、ユーザ距離測定部１０９が測定するユーザとの距離が短くなるにつれて段階的に音声出力レベルを小さくしてもよい。
【０２００】
また、テレビ１００’は、可聴帯域内の低音域（例えば、５００Ｈｚ）、中音域（例えば、１ｋＨｚ）、高音域（例えば、４ｋＨｚ）の各々について、その音域におけるユーザの聴力レベルを測定可能に構成されていてもよい。この場合、コンテンツ提示制御部１０３’は、ユーザの聴力レベルが所定の基準値より弱い音域の音声出力レベルを上げてもよい。
【０２０１】
また、テレビ１００’は、周囲の湿度および温度を測定可能に構成されており、図２８に示された湿度および温度に応じた音圧の減衰率の情報を記憶部（図示せず）に記録していてもよい。この場合、コンテンツ提示制御部１０３’は、測定した湿度および温度と上記情報とに基づいて、測定時の可聴帯域内の低音域、中音域およい高音域の減衰率を導出してもよい。そして、コンテンツ提示制御部１０３’は、各音域の音声出力レベルを、その音域の減衰率の大きさに応じた割合だけ上げるようにしてもよい。
【０２０２】
（付記事項７）
前述したように提示装置としては、スマートフォンやタブレット端末等の携帯表示端末、および、テレビやディスプレイ等の据え置き型表示装置を採用することができるが、テレビ１００のシステム構成情報記憶部１０５に記録される各提示装置のシステム構成情報の中に、メーカー推奨視距離に関する情報に代えて、各提示装置の種別(携帯表示端末、据え置き型表示装置、プロジェクタのいずれか)を示す種別情報が記録されていてもよい。
【０２０３】
そして、コンテンツ提示制御部１０３は、各提示装置の種別情報に基づいて、レベル値１のコンポーネントを提示する提示装置としてタブレット端末またはスマートフォンを選択し、レベル値２のコンポーネントを提示する提示装置としてテレビまたはディスプレイを選択し、レベル値３以上のコンポーネントを提示する提示装置としてプロジェクタを選択してもよい。
【０２０４】
すなわち、提示すべきコンポーネントのレベル値が２（第１の閾値）未満である場合にはそのコンポーネントを携帯表示端末に表示させ、提示すべきコンポーネントのレベル値が２以上３（第２の閾値）未満である場合にはそのコンポーネントをテレビまたはディスプレイに表示させ、提示すべきコンポーネントのレベル値が３以上である場合にはそのコンポーネントをプロジェクタに表示させてもよい。
【０２０５】
また、コンテンツに含まれるコンポーネントの中には、携帯表示端末に表示すべきであるとしてコンテンツの提供者によりレベル値１が付与されたユーザコンポーネント（すなわち、コンテンツの閲覧者のコメントを含むテキストコンポーネント）が含まれていてもよい。
【０２０６】
なお、提示装置としてプロジェクタを用いる場合には、プロジェクタから離れた位置にあるスクリーンの傍にユーザとの間の距離を測定する測距装置を設け、測距装置が距離の測定値を示すデータをプロジェクタに有線通信または無線通信で送信してもよい。
【０２０７】
（付記事項８）
上記各実施形態では、ユーザが情報入力部１０４を用いて登録する提示装置のシステム構成情報を入力するものとしたが、本発明はこれに限られない。例えば、各提示装置が他の提示装置との通信にＢｌｕｅｔｏｏｔｈ通信を使用するように構成されている場合には、テレビ１００または１００’は、ペアリングにより提示装置を登録してもよい。すなわち、テレビ１００または１００’は、ペアリング時に得られる提示装置のシステム構成情報をシステム構成情報記憶部１０５または１０５’に記録してもよい。
【０２０８】
また、各提示装置が、他の提示装置との通信にＷｉ-Ｆｉ（登録商標）通信を使用するように構成されており、ＵＰｎＰ（登録商標）機能をサポートしている場合には、テレビ１００または１００’は、各提示装置のシステム構成情報をＵＰｎＰ機能により取得して、システム構成情報記憶部１０５または１０５’に記録してもよい。さらに、各提示装置が、他の提示装置との通信にＨＤＭＩ通信を使用するように構成されている場合には、テレビ１００または１００’は、システム構成情報が記述されたＥＤＩＤデータを各提示装置から取得し、システム構成情報を、システム構成情報記憶部１０５または１０５’に記録してもよい。あるいは、テレビ１００または１００’は、ＵＷＢ、ＩＥＥＥ１３９４やＵＳＢ等の有線通信または無線通信の技術を用いて、各提示装置のシステム構成情報を取得してもよい。
【０２０９】
テレビ１００、１００’は、登録済みの各提示装置から提示装置のシステム構成情報を定期的に取得してもよい。
【０２１０】
各提示装置は、位置測定モジュール（例えば、ＧＰＳモジュール）や方位測定モジュール（例えば、電子コンパス等）を内蔵していてもよい。また、システム構成情報には、登録済みの各提示装置のアドレス（例えば、ＩＰアドレス、ＭＡＣアドレス等）、品番、形状、性能、位置情報、方位情報等の情報が含まれていてもよい。
【０２１１】
（付記事項９）
コンテンツを視聴しているときにはユーザは常に携帯表示端末を携帯していると仮定して、以下のように各提示装置を構成してもよい。
【０２１２】
すなわち、位置測定モジュールを備えた各提示装置（テレビ１００’を含む）は、他の提示装置との間で自装置の位置情報を定期的または非定期的に有線通信または無線通信で交換するように構成されていてもよく、テレビ１００’は、登録済みの携帯表示端末の中から、その位置情報をユーザの位置を表す位置情報として取り扱うべき携帯表示端末を、情報入力部１０４を通じてユーザが選択できるように構成されていてもよい。
【０２１３】
この場合、テレビ１００’は、ユーザに選択された携帯表示端末のアドレスを各提示装置に通知することになる。そして、各提示装置のユーザ距離測定部は、自装置の位置情報とテレビ１００’からアドレスが通知された携帯表示端末の位置情報とから、自装置とその携帯表示端末との間の距離を測定する。そして、ユーザ距離測定部１０９は、得られた測定値をユーザ距離値としてコンテンツ提示制御部１０３’に供給し、テレビ１００’に登録されている各提示装置のユーザ距離測定部は、得られた測定値をユーザ距離値としてユーザ距離情報送信部に供給する。
【０２１４】
上記の構成によれば、例えば、リビングにあるテレビ１００’でコンテンツに含まれる映像を閲覧していたユーザが、携帯表示端末を携帯してリビングから離れた自室に移動した場合であっても、引き続き携帯表示端末で映像を閲覧することができる。
【０２１５】
これにより、映像を再生しているテレビのある部屋から離れた場合にはその映像を引き続き閲覧することができなかった、という従来の課題を解決することができる。
【０２１６】
（付記事項１０）
テレビ１００’は、システム構成情報とコンテンツのメタデータ（構成情報）とに加えて、表示システムが配置される部屋における各提示装置の配置関係を示した配置マップに基づいて、コンテンツに含まれる各コンポーネントについてコンポーネントを提示すべき提示装置を決定してもよい。
【０２１７】
配置マップは、部屋内の各提示装置の配置位置を示す位置情報で構成されている。
【０２１８】
テレビ１００’は、ユーザが配置マップを手動で作成するための機能を備えていてもよいし、配置マップを自動的に生成するように構成されていてもよい。
【０２１９】
手動で作成するための機能の一例としては、ＧＵＩベースの配置マップ編集機能が挙げられる。ユーザは、この機能を用いると、記憶部(図示せず)に予め用意されている様々な広さの部屋画像から、表示システムが配置される部屋に最も近い部屋を表す部屋画像を選択して、マップ編集画面上に表示できる。そして、ユーザは、マップ編集画面上の部屋画像の上で、予め用意されている様々な種類のアイコン（例えば、テレビを模したアイコン、プロジェクタを模したアイコン等）を配置することができる。
【０２２０】
ユーザがアイコンの配置を完了すると、テレビ１００は、ユーザが選択した部屋画像に対応する部屋のサイズと、部屋画像上に配置された各アイコンの位置に基づいて、位置情報を生成することができる。これにより、テレビ１００’は、配置マップを生成することができる。また、テレビ１００は、ユーザが選択した部屋画像から部屋のサイズを特定することができるので、２台の提示装置の座標情報から２台の提示装置間の距離を導出することできる。
【０２２１】
また、配置マップを自動的に生成する方法としては、以下のような例が挙げられる。
【０２２２】
すなわち、各提示装置のユーザ距離測定部でユーザを被写体とする撮像画像を生成し、テレビ１００は、自装置で生成した撮像画像と各提示装置から取得した撮像画像とをユーザを基準に画像合成してもよい。そして、テレビ１００は、得られた合成画像から各提示装置の位置情報を導出してもよい。なお、各提示装置は撮像画像として左目用画像および右目用画像からなる撮像画像を生成することが好ましい。撮像画像内に写った様々なオブジェクトの位置を撮像画像からより正確に特定でき、ひいては、各提示装置の位置もより正確に特定できるからである。
【０２２３】
なお、各提示装置の位置測定モジュールで測定した位置情報を配置マップとしてもよく、より正確な位置情報を取得するために上述した複数の方法を組み合わせてもよい。また、各提示装置にＩＣタグをつけておいてもよい。
【０２２４】
（付記事項１１）
上記各実施形態では、配信装置から放送波に乗せて送信されたコンテンツをテレビが受信するものとしたが、本発明はこれに限定されない。すなわち、テレビはコンテンツを配信装置から通信で受信してもよい。また、配信装置は、コンテンツに含まれる一部のコンポーネントを放送波に乗せて送信するとともに残りのコンポーネントを通信で送信し、テレビは、このようにハイブリッド伝送技術を用いて送信された全コンポーネントを受信するように構成されていてもよい。
【０２２５】
また、配信装置からコンテンツを受信する装置は、テレビに限らず、タブレット端末等の他の提示装置であってもよい。
【０２２６】
タブレット端末１６０には、図２に示されているようなテレビ１００を操作するためのリモコンアプリがインストールされていてもよい。
【０２２７】
また、受信装置、提示制御装置および提示装置の３つの役割を兼ね備えたテレビ１００に代えて、受信装置および提示制御装置の２つの役割を兼ね備えたセットトップボックスまたは据え置き型ゲーム機としても本発明を実施することができる。
【０２２８】
（付記事項１２）
配信装置２００（２００’）は、表示システム１（１’）のユーザから、そのユーザに付与されたアカウント情報を用いたログイン要求を受け付けてから、表示システム１（１’）にコンテンツを配信するように構成されていることが望ましい。
【０２２９】
ここで、多数のユーザが、自身の表示システム１（１’）を自宅等に構築していることが想定されるが、配信装置２００（２００’）にログインし、同一のコンテンツの配信を受けているユーザ同士は、そのコンテンツの内容について互いにコミュニケーションをとることができるように配信装置２００（２００’）および表示システム１（１’）が構成されていることが望ましい。換言すれば、配信装置２００（２００’）および表示システム１（１’）は、ソーシャル視聴機能をサポートしていることが望ましい。
【０２３０】
この場合、各ユーザの発言を示すデータ（コンテンツを構成する各コンポーネントとは別個のデータ）は、音声やテキスト等の形式で、当該ユーザの普及型テレビ１００（１００’）にマイク（図示せず）または情報入力部１０４を通じて入力されることが望ましい。そして、普及型テレビ１００（１００’）は、入力されたデータを、配信装置２００（２００’）にアップロードし、配信装置２００（２００’）は、受信したデータを他のユーザ（同一コンテンツを視聴している特定のユーザまたは全ユーザ）の表示システム１（１’）に配信することが望ましい。そして、発言を示すデータを受け付けた表示システム１（１’）の普及型テレビ１００（１００’）は、そのデータを、表示システム１（１’）を構成する全提示装置の中で推奨視距離が最も短い提示装置（すなわち、実施形態１ではタブレット端末１６０であり、実施形態２ではタブレット端末１６０’）に供給することが望ましい。そして、発言を示すデータの供給を受けた提示装置は、そのデータを提示することが望ましい。すなわち、タブレット端末１６０（１６０’）は、発言を示すデータが音声データである場合には音声データが表す音声を音声出力部１６４から出力し、発言を示すデータがテキストデータである場合にはテキストデータが表すテキストを表示部１６３に表示することが望ましい。
【０２３１】
（プログラム、記憶媒体）
テレビ１００、１００’の各ブロックは、集積回路（ＩＣチップ）上に形成された論理回路によってハードウェア的に実現してもよいし、ＣＰＵ（Central Processing Unit）を用いてソフトウェア的に実現してもよい。
【０２３２】
後者の場合、テレビ１００、１００’は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアであるテレビ１００、１００’の制御プログラムのプログラムコード（実行形式プログラム、中間コードプログラム、ソースプログラム）をコンピュータで読み取り可能に記録した記録媒体を、テレビ１００、１００’に供給し、そのコンピュータ（またはＣＰＵやＭＰＵ）が記録媒体に記録されているプログラムコードを読み出し実行することによっても、達成可能である。
【０２３３】
上記記録媒体としては、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ（登録商標）／フラッシュＲＯＭ等の半導体メモリ類、あるいはＰＬＤ（Programmable logic device）やＦＰＧＡ（Field Programmable Gate Array）等の論理回路類などを用いることができる。
【０２３４】
また、上記プログラムコードは、通信ネットワークを介してテレビ１００、１００’に供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。
【０２３５】
なお、ここで開示された実施の形態はすべての点で例示であって制限的なものではないと考えられるべきである。本発明の範囲は、上記した説明だけではなく、特許請求の範囲によって示され、特許請求の範囲と均等の意味および範囲内でのすべての変更が含まれることが意図される。
【産業上の利用可能性】
【０２３６】
本発明は、マルチスクリーン型放送によって配信された複数種類の映像を、画面サイズの異なる複数台の表示装置（例えば、テレビとスマートフォン等）を用いて表示する表示システムに好適に適用することができる。
【符号の説明】
【０２３７】
１、１’              表示システム
１００、１００’      普及型テレビ（表示装置、表示制御装置）
１０１                  コンテンツ受信部（第１取得手段、第２取得手段）
１０２                  コンポーネント分離部
１０３、１０３’        コンテンツ提示制御部（表示制御手段、第３取得手段、
識別手段、出力制御手段）
１０４                  情報入力部
１０５、１０５’        システム構成情報記憶部
１０６                  コンポーネント送信部
１０７                  表示部
１０８                  音声出力部
１０９                  ユーザ距離測定部（顔距離測定手段）
１１０                  ユーザ距離情報受信部
１１１                  ユーザ情報記憶部
１５０、１５０’      超大画面ディスプレイ（表示装置）
１６０、１６０’      タブレット端末（表示装置、携帯表示端末）
１５１、１６１          コンポーネント受信部
１５２、１６２          コンポーネント提示制御部
１５３、１６３          表示部
１５４、１６４          音声出力部
１５５、１６５          ユーザ距離測定部（識別手段）
１５６、１６６          ユーザ距離情報送信部
１６７                  情報入力部
１６８                  ユーザコンポーネント送信部
２００、２００’        配信装置
２０１                  コンテンツ記憶部
２０２                  メタデータ記憶部
２０３                  コンテンツ送信部
２０４                  ユーザコンポーネント受信部
【図１】
0005941760.tif 000002
【図２】
0005941760.tif 000003
【図３】
0005941760.tif 000004
【図４】
0005941760.tif 000005
【図５】
0005941760.tif 000006
【図６】
0005941760.tif 000007
【図７】
0005941760.tif 000008
【図８】
0005941760.tif 000009
【図９】
0005941760.tif 000010
【図１０】
0005941760.tif 000011
【図１１】
0005941760.tif 000012
【図１２】
0005941760.tif 000013
【図１３】
0005941760.tif 000014
【図１４】
0005941760.tif 000015
【図１５】
0005941760.tif 000016
【図１６】
0005941760.tif 000017
【図１７】
0005941760.tif 000018
【図１８】
0005941760.tif 000019
【図１９】
0005941760.tif 000020
【図２０】
0005941760.tif 000021
【図２１】
0005941760.tif 000022
【図２２】
0005941760.tif 000023
【図２３】
0005941760.tif 000024
【図２４】
0005941760.tif 000025
【図２５】
0005941760.tif 000026
【図２６】
0005941760.tif 000027
【図２７】
0005941760.tif 000028
【図２８】
0005941760.tif 000029